(57)【要約】【課題】高い自由度で、複数の配達先を経由した複数配達の指定を行うことが可能な配達管理装置を提供する。【解決手段】配達管理装置は、表示モードを指定するモード指定部と、注文情報取得部と地図情報取得部と位置情報取得部とから取得した情報に基づき、モード指定部により指定された表示モードに応じて画像信号を生成する画像信号生成部と、生成された画像信号に対応する画像を表示する表示部と、表示された画像上で、複数配達の対象となる配達先を指定する複数配達指定部とを備える。画像信号生成部は、第１モードが指定されると、配達員アイコンと配達先アイコンと吹き出し画像とをマップ画像上に表示させ、第２モードが指定されると、マップ画像上での複数配達指定部による配達先の指定が可能となるように画像信号を生成する。【選択図】図１２Ａ
2018147108.tif 000002
【特許請求の範囲】
【請求項１】
品物の配達先に対応付けられた注文情報を取得する注文情報取得部と、
配達先を含む地図情報を取得する地図情報取得部と、
配達先に対応付けられる移動体の位置情報を取得する位置情報取得部と、
表示モードを指定するモード指定部と、
前記注文情報取得部と前記地図情報取得部と前記位置情報取得部とから取得した情報に基づき、前記モード指定部により指定された表示モードに応じて画像信号を生成する画像信号生成部と、
前記画像信号生成部で生成された画像信号に対応する画像を表示する表示部と、
前記表示部に表示された画像上で、複数の配達先を経由した配達である複数配達の対象となる配達先を指定する複数配達指定部と、を備え、
前記画像信号生成部は、前記モード指定部により第１モードが指定されると、前記移動体の位置を示す移動体画像と配達先の地点と注文情報とを示す付加画像とをマップ画像上に表示させるとともに、前記マップ画像上での前記複数配達指定部による配達先の指定が不可能であるように画像信号を生成し、前記モード指定部により第２モードが指定されると、前記マップ画像上での前記複数配達指定部による配達先の指定が可能となるように画像信号を生成することを特徴とする配達管理装置。
【請求項２】
請求項１に記載の配達管理装置において、
前記画像信号生成部は、前記モード指定部により前記第２モードが指定されると、前記移動体画像を消去するように画像信号を生成することを特徴とする配達管理装置。
【請求項３】
請求項１または２に記載の配達管理装置において、
予め指定された配達先または店舗を目的地とする前記移動体の推奨ルートを設定するルート設定部をさらに備え、
前記画像信号生成部は、前記モード指定部により前記第１モードが指定されると、前記マップ画像上に前記ルート設定部で設定された推奨ルートを表示し、前記モード指定部により前記第２モードが指定されると、前記推奨ルートを消去するように画像信号を生成することを特徴とする配達管理装置。
【請求項４】
請求項１〜３のいずれか１項に記載の配達管理装置において、
前記画像信号生成部は、前記複数配達指定部による指定がなされた配達先に対応する前記付加画像の表示形態が、前記複数配達指定部による指定がなされていない配達先に対応する前記付加画像の表示形態と異なるように画像信号を生成することを特徴とする配達管理装置。
【請求項５】
請求項１〜４のいずれか１項に記載の配達管理装置において、
配達先に移動体を割り当てる移動体割当部をさらに備え、
前記画像信号生成部は、前記移動体割当部により前記移動体が割り当てられた配達先に対応する前記付加画像の表示形態が、前記移動体割当部により前記移動体が割り当てられていない配達先に対応する前記付加画像の表示形態と異なるように画像信号を生成することを特徴とする配達管理装置。
【請求項６】
請求項１〜５のいずれか１項に記載の配達管理装置において、
前記マップ画像を表示するマップ画面と配達先毎の注文情報を表形式で表示するリスト画面との間で、表示画面の切替えを指令する画面切替え指令部をさらに備え、
前記複数配達指定部は、前記リスト画面においても複数配達の対象となる配達先を指定可能であり、
前記モード指定部により前記第２モードが指定された状態で、前記マップ画面および前記リスト画面のいずれか一方の画面で前記複数配達指定部により複数配達の対象となる配達先が指定されると、指定された情報がいずれか他方の画面に引き継がれることを特徴とする配達管理装置。
【請求項７】
品物の配達先に対応付けられた注文情報を取得する注文情報取得手順と、
配達先を含む地図情報を取得する地図情報取得手順と、
配達先に割り当てられる移動体の位置情報を取得する位置情報取得手順と、
表示モードを指定するモード指定手順と、
前記注文情報取得手順と前記地図情報取得手順と前記位置情報取得手順とで取得した情報に基づき、前記モード指定手順で指定された表示モードに応じて画像信号を生成する画像信号生成手順と、
前記画像信号生成手順で生成された画像信号に対応する画像を表示する表示手順と、
前記表示手順で表示された画像上で、複数の配達先を経由した配達である複数配達の対象となる配達先を指定する複数配達指定手順と、を含み、
前記画像信号生成手順では、前記モード指定手順で第１モードが指定されると、前記移動体の位置を示す移動体画像と配達先の地点と注文情報とを示す付加画像とをマップ画像上に表示させるとともに、前記マップ画像上での前記複数配達指定手順における配達先の指定が不可能であるように画像信号を生成し、前記モード指定手順で第２モードが指定されると、前記マップ画像上での前記複数配達指定手順における配達先の指定が可能となるように画像信号を生成することを特徴とする配達管理方法。
【請求項８】
品物の配達先に対応付けられた注文情報を取得する注文情報取得部を有する店舗用端末と、
前記注文情報取得部で取得した注文情報に応じて配達先へ品物を配達する移動体に設けられた移動通信端末と、
前記店舗用端末および前記移動通信端末とそれぞれ通信を行う配達管理サーバと、を備えた配達管理システムであって、
前記移動体または前記移動通信端末に設けられ、前記移動体の位置を検出する検出部と、
前記配達管理サーバに設けられ、前記検出部により検出された位置情報を取得する位置情報取得部と、
前記配達管理サーバまたは前記店舗用端末に設けられ、配達先を含む地図情報を取得する地図情報取得部と、
前記店舗用端末に設けられ、表示モードを指定するモード指定部と、
前記配達管理サーバまたは前記店舗用端末に設けられ、前記注文情報取得部と前記地図情報取得部と前記位置情報取得部とから取得した情報に基づき、前記モード指定部により指定された表示モードに応じて画像信号を生成する画像信号生成部と、
前記店舗用端末に設けられ、前記画像信号生成部で生成された画像信号に対応する画像を表示する表示部と、
前記店舗用端末に設けられ、前記表示部に表示された画像上で、複数の配達先を経由した配達である複数配達の対象となる配達先を指定する複数配達指定部と、を備え、
前記画像信号生成部は、前記モード指定部により第１モードが指定されると、前記移動体の位置を示す移動体画像と配達先の地点と注文情報とを示す付加画像とをマップ画像上に表示させるとともに、前記マップ画像上での前記複数配達指定部による配達先の指定が不可能であるように画像信号を生成し、前記モード指定部により第２モードが指定されると、前記マップ画像上での前記複数配達指定部による配達先の指定が可能となるように画像信号を生成することを特徴とする配達管理システム。
【発明の詳細な説明】
【技術分野】
【０００１】
本発明は、複数の配達先に連続して品物を配達する配達車両の配達管理装置、配達管理方法および配達管理システムに関する。
【背景技術】
【０００２】
この種の装置として、従来、複数の配達先に連続して配達するために、マップ画面上で幹線経路がマウスを用いてユーザにより指定されると、指定された幹線経路に応じて各配達先へのアクセス経路を特定し、これにより幹線経路を用いた各配達先への配送経路を決定するようにした装置が知られている（例えば特許文献１参照）。また、点在する複数の店舗についての配送を、配送管理センタの配送車が一括して行うようにするための装置も知られている（例えば特許文献２参照）。
【先行技術文献】
【特許文献】
【０００３】
【特許文献１】特開２００７−８６７１号公報
【特許文献２】特開２００３−１９２１３９号公報
【発明の概要】
【発明が解決しようとする課題】
【０００４】
ところで、一般的に、ピザや寿司等の食品配達業務では、店舗のマネージャー等のユーザは注文を受けてから料理の完成予定時刻にあわせて配達を割り当てる（配達計画の立案）。配達計画の立案の際には、配達しやすい道路であるとか、建物の高層度合いであるとか、また配達員の熟練度合いであるとか、を総合的に考慮する必要がある。注文は随時入るため、また、調理が予定時刻に完了しない場合もあるため、配達計画は臨機応変にたてることになり、簡易でわかりやすく、さらにユーザの自由度が確保されているシステムが望ましい。
【０００５】
しかしながら、上記特許文献１および２記載お装置は、配達する品物が前日までに定まっていたり、調理が予定通りに完了することを前提とした最も高い配達効率を求めるための装置であり、臨機応変に複数配達を指定できるユーザの自由度が確保されていなかった。
【課題を解決するための手段】
【０００６】
本発明の一態様である配達管理装置は、品物の配達先に対応付けられた注文情報を取得する注文情報取得部と、配達先を含む地図情報を取得する地図情報取得部と、配達先に対応付けられる移動体の位置情報を取得する位置情報取得部と、表示モードを指定するモード指定部と、注文情報取得部と地図情報取得部と位置情報取得部とから取得した情報に基づき、モード指定部により指定された表示モードに応じて画像信号を生成する画像信号生成部と、画像信号生成部で生成された画像信号に対応する画像を表示する表示部と、表示部に表示された画像上で、複数の配達先を経由した配達である複数配達の対象となる配達先を指定する複数配達指定部と、を備え、画像信号生成部は、モード指定部により第１モードが指定されると、移動体の位置を示す移動体画像と配達先の地点と注文情報とを示す付加画像とをマップ画像上に表示させるとともに、マップ画像上での複数配達指定部による配達先の指定が不可能であるように画像信号を生成し、モード指定部により第２モードが指定されると、マップ画像上での複数配達指定部による配達先の指定が可能となるように画像信号を生成する。
【０００７】
本発明の他の態様である配達管理方法は、品物の配達先に対応付けられた注文情報を取得する注文情報取得手順と、配達先を含む地図情報を取得する地図情報取得手順と、配達先に割り当てられる移動体の位置情報を取得する位置情報取得手順と、表示モードを指定するモード指定手順と、注文情報取得手順と地図情報取得手順と位置情報取得手順とで取得した情報に基づき、モード指定手順で指定された表示モードに応じて画像信号を生成する画像信号生成手順と、画像信号生成手順で生成された画像信号に対応する画像を表示する表示手順と、表示手順で表示された画像上で、複数の配達先を経由した配達である複数配達の対象となる配達先を指定する複数配達指定手順と、を含み、画像信号生成手順では、モード指定手順で第１モードが指定されると、移動体の位置を示す移動体画像と配達先の地点と注文情報とを示す付加画像とをマップ画像上に表示させるとともに、マップ画像上での複数配達指定手順における配達先の指定が不可能であるように画像信号を生成し、モード指定手順で第２モードが指定されると、マップ画像上での複数配達指定手順における配達先の指定が可能となるように画像信号を生成する。
【０００８】
本発明のさらなる他の態様は、品物の配達先に対応付けられた注文情報を取得する注文情報取得部を有する店舗用端末と、注文情報取得部で取得した注文情報に応じて配達先へ品物を配達する移動体に設けられた移動通信端末と、店舗用端末および移動通信端末とそれぞれ通信を行う配達管理サーバと、を備えた配達管理システムであって、移動体または移動通信端末に設けられ、移動体の位置を検出する検出部と、配達管理サーバに設けられ、検出部により検出された位置情報を取得する位置情報取得部と、配達管理サーバまたは店舗用端末に設けられ、配達先を含む地図情報を取得する地図情報取得部と、店舗用端末に設けられ、表示モードを指定するモード指定部と、配達管理サーバまたは店舗用端末に設けられ、注文情報取得部と地図情報取得部と位置情報取得部とから取得した情報に基づき、モード指定部により指定された表示モードに応じて画像信号を生成する画像信号生成部と、店舗用端末に設けられ、画像信号生成部で生成された画像信号に対応する画像を表示する表示部と、店舗用端末に設けられ、表示部に表示された画像上で、複数の配達先を経由した配達である複数配達の対象となる配達先を指定する複数配達指定部と、を備え、画像信号生成部は、モード指定部により第１モードが指定されると、移動体の位置を示す移動体画像と配達先の地点と注文情報とを示す付加画像とをマップ画像上に表示させるとともに、マップ画像上での複数配達指定部による配達先の指定が不可能であるように画像信号を生成し、モード指定部により第２モードが指定されると、マップ画像上での前記複数配達指定部による配達先の指定が可能となるように画像信号を生成する。
【発明の効果】
【０００９】
本発明によれば、店舗の管理者は、複数配達の配達先を高い自由度で指定することが可能となり、複数配達を含む効率的な配達計画を容易かつ迅速に作成することができる。
【図面の簡単な説明】
【００１０】
【図１】本発明の実施形態に係る配達管理システムのシステム構成を示す図。
【図２】図１の車載ナビゲーション装置の概略構成を示す図。
【図３】図１の携帯無線端末の概略構成を示す図。
【図４】図１の配達管理サーバの概略構成を示す図。
【図５】図４の配達管理サーバにより管理される配達車両（配達員）のステータス情報の一例を示す図。
【図６】図４の配達管理サーバにより管理される配達車両（配達員）のステータス情報の判定フローを示す図。
【図７】図１の店舗用端末の概略構成を示す図。
【図８】図３の携帯無線端末に表示される画面の一例を示す遷移図。
【図９】図８の店舗用端末に表示される画面の遷移図。
【図１０Ａ】図９のマップ画面の一例を示す図。
【図１０Ｂ】図９の注文入力画面の一例を示す図。
【図１０Ｃ】図９の配達員ステータス画面の一例を示す図。
【図１０Ｄ】図９の未完了業務画面の一例を示す図。
【図１０Ｅ】図９の配達履歴画面の一例を示す図。
【図１０Ｆ】図９の統計情報画面の一例を示す図。
【図１１Ａ】図１０Ａの配達先アイコンの表示形態と配達ステータスとの関係の一例（単数配達の場合）を示す図。
【図１１Ｂ】図１０Ａの配達先アイコンの表示形態と配達ステータスとの関係の一例（複数配達の場合）を示す図。
【図１２Ａ】複数配達指令時におけるマップ画面の遷移を示す図。
【図１２Ｂ】図１２Ａに続くマップ画面の遷移を示す図。
【図１２Ｃ】図１２Ｂに続くマップ画面の遷移を示す図。
【図１３】複数配達指令時における未完了業務画面の一例を示す図。
【図１４】図１０Ａのマップ画面の表示形態の変化の一例を示す図。
【図１５Ａ】複数配達モードを実現する図１２Ａとは異なるマップ画面の遷移の例を示す図。
【図１５Ｂ】図１５Ａに続くマップ画面の遷移を示す図。
【発明を実施するための形態】
【００１１】
以下、図１〜図１５Ｂを参照して本発明の一実施形態について説明する。本発明の実施形態に係る配達管理装置は、種々の運送業の配達管理システムに用いることができる。以下では特に、注文を受け付けた飲食店等の店舗から、注文された品物をオートバイや自動車等の配達車両を用いて、注文主により指定された場所および時間に配達する宅配業の配達管理システムに適用する例を説明する。宅配業としては、例えば、飲食店に自宅から電話やインターネットでピザや寿司等の食品を注文し、飲食店からオートバイや自動車等の配達車両を用いて自宅に配達する食品宅配サービスを想定することができる。
【００１２】
このような食品宅配サービスでは、完成した食品を迅速に届けることが求められ、効率的な配達計画の作成を行うことが必要となる。すなわち、管理者は、注文を受けた配達先に対し、効率的に配達車両および配達員を割り当てる必要がある。例えば、互いの位置が近く、かつ、互いの配達予定時刻が近い複数の配達先が存在する場合には、同一の配達員が配達に出発し単一の配達先へ一回の配達が完了する度に店舗に戻って再度配達に出発するという通常配達（単数配達）ではなく、同一の配達員が配達に出発し複数の配達先を連続して経由して配達完了後に店舗に戻る、いわゆる複数配達を含む配達計画を作成することが好ましい。特に、食品宅配サービス等の分野では、店舗側で随時注文を受け付けるため、複数配達を含む配達計画の作成および修正の自由度が求められる。そこで、本実施形態では、複数配達を含む配達計画の作成および修正の自由度を高めるため、以下のように配達管理装置を構成する。
【００１３】
［配達管理システム１００の機能構成］
まず、本発明の実施形態に係る配達管理装置６を有する配達管理システム１００の機能構成について説明する。図１は、配達管理システム１００のシステム構成の一例を示す図である。
【００１４】
図１に示すように、配達管理システム１００は、無線通信網を含むネットワーク５で接続された、車載ナビゲーション装置１と、配達管理サーバ３と、店舗用端末４とを含んで構成される。車載ナビゲーション装置１は、スマートフォンに代表される携帯無線端末２に置き換えることもできる。このような配達管理システム１００のうち、配達管理サーバ３と店舗用端末４とが全体として本発明の実施形態に係る配達管理装置６を構成する。なお、店舗用端末４が単独で配達管理装置６を構成することもできる。
【００１５】
車載ナビゲーション装置１は、配達車両Ａに固定または脱着可能に設置される。配達車両Ａは、四輪車や二輪車等であり、図１には、一例として小型の電動四輪車両が示される。ナビゲーション装置１は、配達車両Ａから車両の起動スイッチ（イグニッションスイッチ）のＯＮ／ＯＦＦの状態や、車速、さらに現在位置の情報を取得可能である。車載ナビゲーション装置１は、配達車両Ａから取得した位置情報あるいは自身の位置情報を、定期的もしくは必要に応じて無線通信網を含むネットワーク５を介して配達管理サーバ３にアップロードする。
【００１６】
さらに車載ナビゲーション装置１は、配達車両Ａのエンジン始動やＥＶシステム起動の起動スイッチ（イグニッション・スイッチ）のオン（ＩＧ−ＯＮ）とオフ（ＩＧ−ＯＦＦ）の情報を配達管理サーバ３にアップロードする。これに加え、車載ナビゲーション装置１は、入力部（例えばタッチパネル等）によって入力された給油等の停止理由情報（停車ステータス）を配達管理サーバ３にアップロードすることもできる。
【００１７】
さらに車載ナビゲーション装置１は、無線通信網を含むネットワーク５を介して配達管理サーバ３から受信した配達先に配達する注文情報、配達先の住所氏名等を含む位置情報、配達先までの往路や店舗までの復路情報を表示し、配達先までの往路および店舗までの復路に関してルート案内を行う。すなわち、車載ナビゲーション装置１には、配達業務支援等のソフトウェアがインストールされ、ユーザの要求に基づき、配達先情報の表示や配達先までの往路および店舗までの復路のルート案内を行うことができる。なお、配達支援等のソフトウェアは、予めインストールされていてもよく、配達管理サーバ３との送受信時に必要に応じて適宜ダウンロードされてもよい。
【００１８】
上述のナビゲーション装置１を配達車両Ｂに搭載することもできる。一方、配達車両Ｂを用いて配達する場合、車載ナビゲーション装置１の代わりに携帯無線端末２を用いることができる。携帯無線端末２は、配達員が衣服のポケットに収納し、あるいは配達車両Ｂのクレイドルに設置して使用することができる。本実施形態では、公衆無線通信接続可能なスマートフォンやタブレット端末、携帯電話、さらには各種ウェアラブル端末を、携帯無線端末２と総称する。
【００１９】
図１には、配達車両Ｂの一例として、ピザや寿司などの宅配に広く用いられている３輪のオートバイが示される。携帯無線端末２を用いる場合、市販の携帯無線端末にソフトウェアをインストールすることで簡易にナビゲーション装置としての機能を実現できるというメリットや配達員が常に携行できるというメリットがある。なお、ナビゲーション装置としての機能を実現するためのソフトウェアは、配達管理サーバ３との送受信時に必要に応じて適宜ダウンロードされてもよい。携帯無線端末２はＧＰＳセンサを有しており、ＧＰＳセンサからの位置情報を用いて配達車両Ｂの車速を算出することが可能である。
【００２０】
配達車両Ｂおよび携帯無線端末２は、例えばＢｌｕｅｔｏｏｔｈ（登録商標）、赤外線短距離通信等を含む近距離無線通信機構を備えることができる。この場合、携帯無線端末２は、近距離無線通信を介して配達車両Ｂとの間で接続された状態で、インストールされたアプリケーションにより、配達車両Ｂのエンジン始動やＥＶシステム起動の起動スイッチ（イグニッション・スイッチ）のオン（ＩＧ−ＯＮ）とオフ（ＩＧ−ＯＦＦ）に関する情報、および速度等の車両情報を取得可能に構成することができる。
【００２１】
配達管理サーバ３は、ナビゲーション装置１や携帯無線端末２から位置情報や停止ステータス等の種々の情報を、また店舗用端末４から配達先の住所・氏名、注文品目、集金金額、さらに配達期限等が含まれる配達先情報（注文情報）を、それぞれ受信する。配達管理サーバ３は、受信した情報に基づいて、ナビゲーション装置１や携帯無線端末２に対して配達先情報や配達ルートを、さらに店舗用端末４に対してナビゲーション装置１や携帯無線端末２の位置情報や停車している事由である停車ステータスを送信する。送信内容には、配達が完了した旨の情報や、予定されていた配達時間に対する遅延等の情報を含めることもできる。配達ルートには、単なる目的地の緯度経度とルート情報だけでなく、周囲の地図や走行禁止路、天候や交通規制に関する情報等、ルート案内に関係する他の情報を含めることも可能である。
【００２２】
本発明の実施形態では、配達管理サーバ３を１つのサーバとして記載するが、配達管理サーバ３の各機能を、適宜複数のサーバに分散する分散処理システムとしてもよい。クラウド上で仮想サーバ機能等を利用して、配達管理サーバ３の各機能を実現することもできる。
【００２３】
店舗用端末４には、店舗に備え付けられたパーソナルコンピュータやタブレット型端末、ＰＯＳレジと呼ばれる専用の販売管理システム、スマートフォン等、種々のコンピュータが含まれる。店舗用端末４は、無線通信網を含むネットワーク５を介して、配達管理サーバ３と情報の送受信を行う。具体的には、店舗用端末４から配達管理サーバ３に対し、配達先の住所や氏名、品目、個数、集金金額、さらに配達期限等が含まれる配達先情報が送信される。
【００２４】
店舗用端末４は、無線通信網を含むネットワーク５を介して、配達管理サーバ３から各配達車両の位置情報や車速の情報、停車ステータスの情報を含む配達員ステータス情報を受信し、これを表示部に表示する。これにより、店舗の管理者は、配達員ステータス情報に基づいて次の配達先への配達計画を作成し、あるいは異常な停車ステータスを示す配達車両の配達員に通信連絡を試みる等の対応をとることができる。
【００２５】
次に、車載ナビゲーション装置１、携帯無線端末２、配達管理サーバ３および店舗用端末４の各構成について説明する。
【００２６】
＜車載ナビゲーション装置１＞
まず、車載ナビゲーション装置１について説明する。図２は、車載ナビゲーション装置１の概略構成を示す図である。図２に示すように、車載ナビゲーション装置１は、制御部１０と、記憶部１１と、無線部１２と、センサ部１３と、表示部１４と、入力部１５とを有する。
【００２７】
記憶部１１は、半導体メモリやハードディスク等で構成される。記憶部１１には、オペレーティングシステム（ＯＳ）やルート案内等を含む配達業務支援のためのアプリケーションプログラムを含むソフトウェア、ルート案内に用いる道路地図や住宅地図等の地図情報、さらに配達先の顧客情報等、種々の情報が記憶される。顧客情報には、顧客の住所・氏名の他、駐車場位置、番犬の有無等の顧客に関連付けられた情報が含まれる。なお、ソフトウェア、地図情報、顧客情報については、それぞれを予め記憶部１１に記憶しておいてもよく、あるいは配達管理サーバ３から取得してもよい。
【００２８】
無線部１２は、ＤＳＰ（Digital Signal Processor）等を有し、３ＧやＬＴＥ等の携帯電話網に代表される無線通信網を介し、配達管理サーバ３と無線通信可能に構成される。無線部１２は、例えばＷｉ−Ｆｉ（Wireless Fidelity）（登録商標）、Bluetooth（登録商標）等の近接無線通信技術を適用可能な近接無線通信部（図示せず）を含むように構成されてもよい。無線部１２は、配達車両Ａを識別する識別番号（「配達車両ＩＤ」ともいう）、配達車両Ａの現在位置情報、配達車両Ａの給油情報、および配達先選択情報等を配達管理サーバ３に送信し、配達先情報、およびルート情報等を配達管理サーバ３から受信することができる。
【００２９】
センサ部１３は、配達車両Ａに備えられたＧＰＳセンサ、車速センサ、ジャイロセンサ、さらに３軸（前後・左右・上下）加速度センサ等から構成される。センサ部１３は、現在位置を検出する位置検出部としての機能を備え、ＧＰＳセンサによりＧＰＳ衛星信号を受信し、配達車両Ａの現在位置（緯度および経度）を測位する。車速センサは回転軸からのパルス信号を基に車両の速度を算出する。ジャイロセンサは角速度を検出する。これらＧＰＳセンサ、車速センサ、ジャイロセンサ、３軸加速度センサ等により、配達車両Ａの現在位置や向きを正確に算出することができる。
【００３０】
車速センサ、ジャイロセンサ等を備えることにより自律航法によって配達車両Ａの現在位置を測位することができる。したがって、ＧＰＳセンサがＧＰＳ衛星信号から測位できない場合に、これに代わって現在位置を測位することができる。ＧＰＳ通信が不可能な場合、ＡＧＰＳ（Assisted Global Positioning System）通信を利用し、無線部１２から取得される基地局情報によって配達車両Ａの現在位置を算出することもできる。これらのセンサ類は、車載ナビゲーション装置１とは別に配達車両Ａに設けることもでき、その場合には、例えば近接無線通信部等を通じて車載ナビゲーション装置１に信号を取り込むように構成される。
【００３１】
表示部１４は、液晶ディスプレイまたは有機ＥＬパネル等の表示デバイスにより構成される。表示部１４は、制御部１０からの指示を受けて、地図やタッチパネル用の操作ボタンのアイコン等を表示するとともに、配達管理サーバ３から取得した配達先情報、配達車両Ａの現在位置、現在位置周辺および配達先付近の地図、ルート案内情報等の各種情報を表示することができる。
【００３２】
入力部１５は、テンキーなどの物理スイッチや表示部１４の表示面に重ねて設けられたタッチパネル等の入力装置（図示せず）等で構成される。入力部１５からの操作入力、例えばユーザによるテンキーの押下、タッチパネルのタッチに基づいた信号を制御部１０に出力することで、配達先選択、給油中情報入力や、工事中、通行止め、迂回情報等の登録、地図の拡大縮小等の操作を行うことができる。
【００３３】
なお、図示は省略するが、車載ナビゲーション装置１は、この他にスピーカやマイクを備えることができる。スピーカは、配達員に対し音声出力を行い、マイクは、配達員によって発せられた音声等を集音する。これにより、スピーカから各種情報を音声で出力するとともに、マイクを介して音声入力された配達員による各種指令を、音声認識技術を用いて制御部１０に入力することができる。
【００３４】
制御部１０は、ＣＰＵ、ＲＡＭ、ＲＯＭ、Ｉ／Ｏ等を有するマイクロプロセッサにより構成される。ＣＰＵは、ＲＯＭまたは記憶部１１から読み出した各プログラムを実行し、その実行の際にはＲＡＭ、ＲＯＭ、および記憶部１１から情報を読み出し、ＲＡＭおよび記憶部１１に対して情報の書き込みを行い、無線部１２、センサ部１３、表示部１４および入力部１５と信号の授受を行う。
【００３５】
制御部１０は、機能的構成として、接続処理部１０１と、イグニッション情報部１０２と、位置情報通知部１０３と、車速情報通知部１０４と、ルート案内部１０５とを有する。
【００３６】
接続処理部１０１は、アカウント（識別情報）およびパスワードを、無線部１２を介し配達管理サーバ３に送信することで、配達管理サーバ３との間で通信可能な状態に接続する。また、接続処理部１０１は、無線部１２を介して配達管理サーバ３に対しログアウトを送信することで、配達管理サーバ３との間の通信接続を終了する。
【００３７】
イグニッション情報部１０２は、配達車両ＡのＣＡＮ（Controller Area Network）情報を取得することで配達車両Ａのエンジン始動やＥＶシステム起動の起動スイッチで（イグニッションスイッチ）からの情報を検知する。配達車両Ａのイグニッション情報によって、配達車両Ａのエンジンが始動（システムが起動）しているか否かの状態を把握することができる。
【００３８】
位置情報通知部１０３は、センサ部１３（ＧＰＳセンサ）からの信号により算出した配達車両Ａの現在位置情報、および計時部（図示せず）から取得した現在時刻情報等を、無線部１２を介し、配達車両ＩＤに対応付けて定期的に配達管理サーバ３に送信する。なお、時刻情報には、時刻だけでなく年月日等の情報も含まれる。位置情報通知部が送信する位置情報には、センサ部１３からの信号により算出した配達車両の進行方向や、配達車両の停止情報を含めることができる。これにより、配達管理サーバ３は、車両の位置情報の時系列変化から進行方向または停止中であることを算出する必要がなくなる。
【００３９】
車速情報通知部１０４は、センサ部１３（車速センサ）からの信号により算出した配達車両Ａの現在の車速情報、および計時部から取得した現在時刻情報等を、無線部１２を介し、配達車両ＩＤに対応付けて定期的に配達管理サーバ３に送信する。なお、位置情報通知部１０３により通知された位置情報に基づき、配達管理サーバ３で配達車両Ａの車速を算出するようにしてもよい。この場合、車速情報通知部１０４が不要となる。
【００４０】
位置情報通知部１０３は、現在位置情報および現在時刻情報を、所定の時間間隔（例えば３秒間隔）で取得し、例えばその都度リアルタイムに配達管理サーバ３に送信する。同様に、車速情報通知部１０４は、現在の車速情報および現在時刻情報を、所定の時間間隔（例えば３秒間隔）で取得し、例えばその都度リアルタイムに配達管理サーバ３に送信する。この点につき、配達車両または配達員の位置と車速とは時々刻々と変化するため、現在位置情報と車速情報とを所定時間間隔で取得する場合、直近の現在位置情報および車速情報から求まる位置および車速と実際の位置および車速とは、厳密にいうと一致しないことがある。しかしながら、そのずれは小さいため、所定時間間隔で取得した現在位置情報と車速情報とから求まる位置および車速を、現在位置および車速とみなすことができる。なお、所定の時間間隔で取得した配達車両Ａの現在位置情報、現在時刻情報、現在の車速情報等を、その都度送信するのではなく、複数個まとめて（例えば５分間分の情報をまとめて）、一度に送信（いわゆるバースト送信）することができる。車両の現在位置情報や現在の車速情報等の取得時間間隔（例えば、３秒間隔）や複数個まとめてバースト送信する場合に一度に送信する個数等については、予め設定することができる。
【００４１】
ルート案内部１０５は、配達管理サーバ３から受信するルート情報、すなわち配達先を目的地とする配達先までの往路情報、および配達先から店舗までの復路情報を含むルート情報に基づいて、ルート案内を実行する。ルート案内は、例えば、表示部１４に表示される配達先選択画面を介して配達員により選択された配達先の情報が配達管理サーバ３に送信することに応答して実行される。
【００４２】
なお、図示は省略するが、制御部１０は、配達車両Ａの給油情報を、無線部１２を介して配達管理サーバ３に送信する給油情報通知部も有する。給油情報は、例えば表示部１４に設けられた給油中ボタンが配達員によりオン操作された場合、あるいは入力部１５を介して給油中状態が指令された場合に、配達管理サーバ３に送信される。
【００４３】
配達管理サーバ３は、配達先選択画面（図８）を介し配達員により選択された配達先の情報が配達管理サーバ３に送信されることを契機として、配達の出発時刻（実績）を記録し、これにより配達中のステータスとなる。また、配達管理サーバ３は、ルート案内にしたがって店舗に帰着し、ルート案内を終了することを契機として、帰着時刻（実績）を記録し、これにより配達完了ステータスとなる。
【００４４】
ルート案内部１０５は、現在地付近の地図に配達車両位置を重ねあわせて表示部１４に出力するとともに、配達先までのルート案内を行う。このルート案内時には、交通事故、工事中、通行止め、迂回情報や急ブレーキの多発ポイントを併せて表示することができる。配達目安時間を併せて表示することもできる。なお、ルート情報を配達管理サーバ３から受信するのに代えて、車載ナビゲーション装置１（例えばルート案内部１０５）により算出するようにしてもよい。
【００４５】
以上のようなハードウェア構成は、一般に用いられるカーナビゲーション装置のハードウェア構成と多くを共通にする。このため、カーナビゲーション装置に本発明の実施形態に係る構成をソフトウェア等によって備えることにより、大きなコストアップを招くことなく、上述の機能を実現することが可能となる。
【００４６】
＜携帯無線端末２＞
次に、携帯無線端末２について説明する。携帯無線端末２には各種アプリケーションソフトウェアがインストール可能であり、本実施形態に係る携帯無線端末２は、スマートフォンにインストールされたアプリケーションソフトウェアによって配達管理システムを構成する。
【００４７】
図３は、携帯無線端末２の概略構成を示す図である。図３に示すように、携帯無線端末２は、制御部２０と、記憶部２１と、無線部２２と、センサ部２３と、表示部２４と、入力部２５とを備える。
【００４８】
このうち、記憶部２１と、無線部２２と、表示部２４と、入力部２５とは、車載ナビゲーション装置１の記憶部１１と、無線部１２と、表示部１４と、入力部１５と共通の機能を有する。例えば無線部１２は、配達車両Ｂを識別する識別番号（配達車両ＩＤ）、配達車両Ｂの現在位置情報、配達車両Ｂの給油情報、および配達先選択情報等を配達管理サーバ３に送信し、配達先情報、およびルート情報等を配達管理サーバ３から受信する。なお、図示は省略するが、携帯無線端末２は、配達員に対し音声出力を行うスピーカと、配達員によって発せられた音声等を集音するマイクとをさらに有する。
【００４９】
センサ部２３は、ＧＰＳセンサとジャイロセンサとを含み、センサ部２３での検出信号により携帯無線端末２自身が現在位置を把握することが可能である。現在位置は、無線部１２から取得される無線通信網の基地局情報によって算出することもできる。センサ部２３は車速センサを備えないため、車両の走行速度（車速）を直接測定することはできない。しかし、車速はＧＰＳセンサによって取得した位置情報の時系列変化から算出することが可能である。
【００５０】
制御部２０は、車載ナビゲーション装置１の制御部１０と同様に、ＣＰＵ、ＲＡＭ、ＲＯＭ、Ｉ／Ｏ等を有するマイクロプロセッサにより構成される。制御部２０は、機能的構成として、接続処理部２０１と、位置情報通知部２０３と、車速情報通知部２０４と、ルート案内部２０５とを有する。このうち、接続処理部２０１、位置情報通知部２０２、ルート案内部２０５は、それぞれ車載ナビゲーション装置１の接続処理部１０１、位置情報通知部１０３、ルート案内部１０５と同様に機能する。なお、図示は省略するが、制御部２０は、配達車両Ｂの給油情報を、無線部２２を介して配達管理サーバ３に送信する給油情報通知部も有する。
【００５１】
車速情報通知部２０４は、センサ部２３（ＧＰＳセンサ）からの信号に基づき、携帯無線端末２とともに移動する配達車両Ｂの車速を算出し、現在の車速情報、および計時部から取得した現在時刻情報を、無線部２２を介し、配達車両ＩＤに対応付けて定期的に配達管理サーバ３に送信する。なお、位置情報通知部２０３により通知された位置情報に基づき、配達管理サーバ３で配達車両Ｂの車速を算出するようにしてもよい。この場合、車速情報通知部２０４が不要となる。
【００５２】
＜配達管理サーバ３＞
次に、配達管理サーバ３について説明する。配達管理サーバ３は、本実施形態では種々の機能を備えた１つのサーバとして説明するが、機能毎に別のサーバから構成される分散サーバであってもよく、またクラウドサーバと呼ばれる分散型の（仮想サーバを含む）サーバで実現されてもよい。
【００５３】
図４は、配達管理サーバ３の概略構成を示す図である。図４に示すように、配達管理サーバ３は、制御部３０と、記憶部３１と、通信部３２と、表示部３４と、入力部３５とを有する。なお、表示部３４と入力部３５とは、省略することもできる。
【００５４】
記憶部３１は、半導体メモリやハードディスクドライブ等で構成される。記憶部３１には、オペレーティングシステム（ＯＳ）やアプリケーションと呼ばれるソフトウェアや、その他の種々の情報が記憶される。このため、記憶部３１には、配達員情報エリア３１１、配達車両情報エリア３１２、配達先情報エリア３１３、ルート案内エリア３１４、配達管理情報エリア３１５、履歴情報エリア３１６といった、様々な記憶エリアが確保される。
【００５５】
配達員情報エリア３１１には、配達員の識別情報である従業員ＩＤ（「配達員ＩＤ」ともいう）毎に、当該配達員に関する基本的な情報、例えば、配達員の氏名、従業員ＩＤ、所属先店舗ＩＤ、勤務可能時間等を管理する配達員情報ファイルが記憶される。配達員情報エリア３１１には、配達員ＩＤ毎に、１日の配達総時間、接客に要した時間、車両停止時間等が年月日毎に時系列に記憶される。これらの情報は、ナビゲーション装置１や携帯無線端末２から受信した情報を基に算出されて記憶される。
【００５６】
また、配達員情報エリア３１１には、配達員ＩＤに対して配達車両Ａ，Ｂの識別情報である配達車両ＩＤが対応付けて記憶される。配達員ＩＤに対する配達車両ＩＤの対応付けについては、例えば１日の配達管理業務の開始に先立ち、店舗管理者により、予め設定される。
【００５７】
配達車両情報エリア３１２には、配達車両ＩＤ毎に、当該配達車両に関する走行距離に関する情報、例えば、当該配達車両の単位燃料あたりの走行可能距離である予測燃費（または予測電費）、直近に当該配達車両に給油されてから走行した距離（具体的には、給油先から店舗に帰還するまでの距離とこれまでに配達完了となっている配達に要した走行距離の合計）、および残りの走行可能距離等が記憶される。これらの情報は、ナビゲーション装置１や携帯無線端末２から受信した情報を基に算出されて記憶される。
【００５８】
配達先情報エリア３１３には、店舗用端末４から受信した配達先の住所・氏名、品目、集金金額、配達期限（配達予定時刻）、さらに配達先に対応付けられた配達員等を含む配達先情報が記憶される。配達先情報には、ジオフェンス情報も含まれる。ジオフェンス情報とは、配達先住所を含むエリア指定情報であり、配達車両を駐車する場所や配達先の家屋が全て含まれる範囲に設定される。
【００５９】
ルート案内エリア３１４には、ナビゲーションのための地図情報が予め格納される。地図情報には、道路リンク情報、道路および道路地図等の背景を表示するための表示用地図データ、ノード（例えば道路の交差点、屈曲点、端点等）の位置情報およびその種別情報、各ノード間を結ぶ経路であるリンクの位置情報およびその種別情報、全てのリンクのコスト情報（例えば距離、所要時間等）に関するリンクコストデータ等を含む道路ネットワークデータ等が含まれる。これらの地図情報は定期的に更新される。
【００６０】
ルート案内エリア３１４には、施設の識別情報（施設ＩＤともいう）、名称、カテゴリー、電話番号、住所、緯度経度等で特定される位置情報、商品役務等に関する施設情報等を含む属性情報も併せて記憶される。さらにルート案内エリア３１４には、道路上に存在する運転に注意を要する交通事故、工事中、通行止め、迂回情報や急ブレーキの多発ポイント等の対象物情報が保存される。これに加え、交通情報センタ等から受信する交通情報が当該交通情報を受信した記録時刻とともに記憶される。交通情報には、例えばリンク毎の走行車両数、走行所要時間、渋滞情報、交通規制情報、天候情報等の移動コストを左右する要素が含まれる。
【００６１】
配達管理情報エリア３１５には、配達員の配達業務（注文された品物の配達状況）を管理するための配達管理データレコードが記録される。配達管理データレコードには、配達員の配達員ＩＤ、配達に使用される配達車両の車両ＩＤ、割り当てられた配達先情報（１つまたは複数）、出発予定時刻、出発時刻（実績）、配達予定時刻（配達指定時刻）、配達時刻（実績）、帰着予定時刻、帰着時刻（実績）、停車経過時間、当該配達員の配達状況を表す配達ステータス情報等が格納される。配達先が複数ある場合、配達予定時刻、配達時刻（実績）は、それぞれ配達先毎に記録される。配達管理データレコードには、配達予定時刻に配達員が配達先に到達したか否かの情報も含まれる。
【００６２】
配達先が複数あり、一回の配達で当該複数の配達先を廻ってそれぞれの注文された品物を配達（複数配達）する場合、配達管理情報エリア３１５には、複数の配達先情報に割り当てられた配達員の配達員ＩＤ、および配達に使用される配達車両の車両ＩＤが、該当する配達管理データレコードに記録される。なお、複数配達においては、その対象となる配達管理レコードを対応付けて、グループ化するように構成することができる。また、配達管理データレコードに配達先情報を繰り返し項目として記録するようにしてもよい。
【００６３】
配達ステータス情報としては、例えば、待機中（割り当てられた配達先がない状態）、未配達（配達先が割り当てられているが店舗にいる状態）、停止中（店舗を出ているが、配達車両が道路上で一定時間停止している状態）、接客中（配達車両が配達先で一定時間停止している状態）、配達中（店舗を出ているが、全ての配達を完了していない状態）、帰還中（全ての配達を完了し、店舗に帰還している状態）、給油中（配達先が割り当てられているか否かに関わらず、配達車両に給油している状態）、異常停止中（店舗を出て、配達車両が、道路上または接客中に関係なく、所定時間以上停止している状態）、ログアウト（配達管理システムにログインしていない状態）の情報が記録される。これらの情報は、ナビゲーション装置１や携帯無線端末２、および店舗用端末４から受信した情報を基に作成更新されて記憶される。
【００６４】
履歴情報エリア３１６には、配達の完了した配達管理データが履歴情報として記憶される。履歴情報は、例えば管理者により、店舗用端末４から検索照会するよう構成される。
【００６５】
通信部３２は、車載ナビゲーション装置１および携帯無線端末２との送受信の場合には、例えば、３ＧおよびＬＴＥ等の無線通信をすることができる通信プロトコルを実装する。一方、通信部３２は、店舗用端末４との送受信の場合に、有線通信（例えば、インターネット回線等）または無線通信することができる通信プロトコルを実装する。
【００６６】
制御部３０は、ＣＰＵ、ＲＡＭ、ＲＯＭ、Ｉ／Ｏ等を有するプロセッサにより構成される。制御部３０は、機能的構成として、接続処理部３０１と、情報取得部３０２と、配達先情報登録部３０３と、ジオフェンス設定部３０４と、配達管理データ生成部３０５と、ルート設定部３０６と、配達先情報通知部３０７と、ステータス判定部３０Ａと、履歴データ作成部３０Ｂと、配達管理情報作成部３０Ｃと、統計情報作成部３１Ｄと、表示データ作成部３０Ｅとを有する。
【００６７】
接続処理部３０１は、車載ナビゲーション装置１または携帯無線端末２からのログイン処理を実行し、車載ナビゲーション装置１または携帯無線端末２と接続処理を行う。また、接続処理部３０１は、車載ナビゲーション装置１または携帯無線端末２からのログアウト処理を実行し、車載ナビゲーション装置１または携帯無線端末２との接続を終了する。さらに接続処理部３０１は、店舗用端末４からのログイン処理を実行して、店舗用端末４と接続処理を行うとともに、店舗用端末４からのログアウト処理を実行して、店舗用端末４との接続を終了する。
【００６８】
情報取得部３０２は、車載ナビゲーション装置１または携帯無線端末２から配達管理サーバ３宛てに送信されるデータ、および店舗用端末４から配達管理サーバ３宛てに送信されるデータを、通信部３２を介して受信することで各種情報を取得する。情報取得部３０２が取得する情報には、車載ナビゲーション装置１の位置情報通知部１０３および車速情報通知部１０４から送信された配達車両の位置情報および車速情報とこれに対応する時刻情報や、携帯無線端末２の位置情報通知部１０３および車速情報通知部２０４から送信された配達車両の位置情報および車速情報とこれに対応する時刻情報が含まれる。さらに、店舗用端末４から取得した配達先情報等が含まれる。
【００６９】
配達先情報登録部３０３は、店舗用端末４から受信した配達先の配達エリア、住所や氏名、注文品目、集金金額、配達期限（配達予定時刻）、さらに配達先に割り当てられた配達員等を含む配達先情報（注文情報）に基づいて、配達先情報エリア３１３に配達先データレコードを新規に作成登録する。なお、配達先情報には、駐車場位置や番犬の有無等を含めることができる。
【００７０】
ジオフェンス設定部３０４は、配達先情報登録部３０３により登録された配達先情報に基づいて、配達先の緯度経度を含むエリアを示すジオフェンス情報（配達先エリア）を設定する。ジオフェンス情報は、配達先住所を含むエリア指定情報であり、配達車両を駐車する場所および配達先の家屋が全て含まれる。より具体的には、ジオフェンス設定部３０４は、配達先の緯度経度から所定の半径の範囲内のエリアを配達先のジオフェンス情報として設定する。
【００７１】
配達管理データ生成部３０５は、配達先情報に基づいて、配達員の配達業務（注文された品物の配達状況）を管理するための配達員をキーとする配達管理データレコード（初期化されたレコード）を、記憶部３１の配達管理情報エリア３１５に生成する。なお、配達管理データレコード（初期化されたレコード）生成時において、まだ割り当てられていない項目（例えば配達員ＩＤ、配達車両ＩＤ、配達予定時刻、配達時刻（実績）、帰着予定時刻、帰着時刻（実績）、停車経過時間、当該配達員の配達状況を表す配達ステータス情報等）には、Ｎｕｌｌ値を含む初期値を設定するようにしてもよい。
【００７２】
ルート設定部３０６は、配達先を目的地とする配達先までの往路情報、および配達先から店舗までの復路情報を含むルート情報を算出し、設定する。複数の配達先が一括配達として割り当てられた場合（複数配達が設定された場合）、ルート設定部３０６は、複数の配達先を経由するルート情報を算出し、設定する。ルート情報の算出に際しては、記憶部３１のルート案内エリア３１４に記憶されている道路上に存在する運転に注意を要する交通事故、工事中、通行止め、迂回情報や急ブレーキの多発ポイント等の対象物情報の各種情報を加味した上で、最適なルートを算出する。ルート設定部３０６は、配送先情報の配達期限等に基づいて、出発予定時刻、配達予定時刻、帰着予定時刻を算出し、該当する配達管理データレコードに記録する。
【００７３】
配達先情報通知部３０７は、配達先情報登録部３０３により登録された配達先情報を、当該配達先に割り当てられた配達員の車載ナビゲーション装置１または携帯無線端末２に通信部３２を介して送信する。さらに配達先情報通知部３０７は、車載ナビゲーション装置１または携帯無線端末２を介したユーザからの要求に応答し、ルート設定部３０６により算出されたルート情報を車載ナビゲーション装置１または携帯無線端末２に送信する。
【００７４】
ステータス判定部３０Ａは、配達員の配達ステータスを管理するために、配達員（配達車両）のステータス情報を判定し、配達管理データレコードを更新する。具体的には、ステータス判定部３０Ａは、割り当てられた１つまたは複数の配達先情報に関し、当該配達員の配達状況を表す配達ステータス情報、およびステータス情報に関連する出発時刻（実績）、配達時刻（実績）、帰着時刻（実績）、停車経過時間を更新する。
【００７５】
図５は、ステータス情報の一例を示す図であり、図６は、ステータス情報の判定フローを示す図である。以下、図５，６を参照して各ステータス情報について説明する。
【００７６】
ステータス判定部３０Ａは、配達員が車載ナビゲーション装置１（または携帯無線端末２）を介して配達管理サーバ３に接続状態でない場合、ステータス情報を「ログアウト」と判定する。
【００７７】
ステータス判定部３０Ａは、車載ナビゲーション装置１（または携帯無線端末２）から給油情報を受信した場合、ステータス情報を「給油中」と判定する。
【００７８】
ステータス判定部３０Ａは、当該配達員（配達車両）に対して、割り当てられた配達先情報がない場合、ステータス情報を「待機中」と判定する。
【００７９】
ステータス判定部３０Ａは、当該配達員（配達車両）に対して、配達先情報が割り当てられている場合であって、配達員が車載ナビゲーション装置１（または携帯無線端末２）を介して配達先を選択していない場合、ステータス情報を「未配達」と判定する。
【００８０】
ステータス判定部３０Ａは、ルート設定部３０６で設定されたルート情報を車載ナビゲーション装置１（または携帯無線端末２）に送信する場合、ステータス情報を「配達中」と判定するとともに、配達先を選択した時刻、または配達先を選択した後、店舗のジオフェンスより初めて出た時刻、またはルート案内を開始させた時刻を出発時刻（実績）と判定する。
【００８１】
ステータス判定部３０Ａは、車載ナビゲーション装置１（または携帯無線端末２）から受信する現在位置情報に対応する位置がジオフェンス設定部３０４により設定されたジオフェンス情報に対応するエリアの内部に、予め設定された第１の時間範囲、停止している場合、ステータス情報を「接客中」と判定するとともに、停止している当該時刻を配達時刻（実績）と判定する。ステータス判定部３０Ａは、接客中ステータスと判定した位置情報とその時刻および接客中ステータスが解除された時刻、さらには配達時刻が配達指定時刻以前であったか否かの情報を、記憶部３１の配達管理情報エリア３１５に記録する。なお、ステータス判定部３０Ａは、車載ナビゲーション装置１（または携帯無線端末２）により配達車両が配達先エリアの範囲内に入ったことが測位された場合に、当該配達車両が「接客中」と判定するとともに、配達先エリアの範囲内に入ったと判定された時刻を配達先到着時刻（実績）にするように構成してもよい。
【００８２】
ステータス判定部３０Ａは、車載ナビゲーション装置１（または携帯無線端末２）から受信する現在位置情報に対応する位置が予め設定された第１の時間範囲、ジオフェンス設定部３０４により設定されたジオフェンス情報に対応するエリアの内部ではない同一の場所に停止している場合、ステータス情報を「停止中」と判定するとともに、停止している当該時間を停車経過時間に加算する。なお、ステータス判定部３０Ａは、停止中ステータスと判定した位置情報とその時刻および停止中ステータスが解除された時刻（位置情報が時系列的に動くようになった時刻）を配達管理データレコードに記録するように構成することができる。
【００８３】
ステータス判定部３０Ａは、車載ナビゲーション装置１（または携帯無線端末２）から受信する現在位置情報に対応する位置が予め設定された第２の時間以上、同一の場所に停止している場合、ステータス情報を「異常停止」と判定するとともに、停止している当該時間を停車経過時間に加算する。なお、図６に示す判定フローにおいて、１５分以上停止している場合に「異常停止」と判定しているが、この値は一例であって、第２の時間がこの値に限定されるものではない。
【００８４】
ステータス判定部３０Ａは、全ての配達が完了した状態で、車載ナビゲーション装置１（または携帯無線端末２）から受信する現在位置情報に対応する位置が時系列的に変化している場合、すなわち「停止中」と判定しない場合、ステータス情報を「帰還中」と判定する。また、ステータス判定部３０Ａは、車載ナビゲーション装置１（または携帯無線端末２）により配達車両が配達先エリアの範囲外において所定回数（例えば２回）測位された場合に、当該配達車両が当該配達先エリアから出たと判定するように構成することができる。この場合、ステータス判定部３０Ａは、次の配達先が残っている場合には、ステータス情報を「配達中」と判定し、全ての配達が終了している場合、ステータス情報を「帰還中」と判定するように構成してもよい。
【００８５】
ステータス判定部３０Ａは、車載ナビゲーション装置１（または携帯無線端末２）から受信する現在位置情報に対応する位置が予め設定される店舗のジオフェンス情報に対応するエリア（店舗エリア）の内部に、予め設定された第１の時間範囲、停止している場合、ステータス情報を「完了」と判定するとともに、停止している当該時刻を帰着時刻（実績）と判定することができる。また、ステータス判定部３０Ａは、車載ナビゲーション装置１（または携帯無線端末２）により配達車両が店舗エリアの範囲内に入ったことが測位された場合に、当該配達車両が店舗に帰着したと判定するとともに、店舗エリアの範囲内に入ったと判定された時刻を帰着時刻（実績）にするように構成することができる。この場合、ステータス判定部３０Ａは、次の配達が割り当てられている場合には、ステータス情報を「未配達」とし、配達が割り当てられていない場合、ステータス情報を「待機中」と判定するように構成してもよい。
【００８６】
図４の説明に戻り、履歴データ作成部３０Ｂは、ステータス情報が「完了」とされた配達管理データレコードを履歴情報エリア３１６に履歴情報として格納する。その際、「完了」とされた配達管理データレコードを配達管理情報エリア３１５から削除するようにしてもよい。また、予め設定された期間経過後に「完了」とされた配達管理データレコードを配達管理情報エリア３１５から削除するようにしてもよい。
【００８７】
履歴データ作成部３０Ｂは、当該配達車両の配達に要した走行距離を算出し、当該配達車両の走行距離に関する情報、例えば当該配達車両の燃料単位あたりの走行可能距離である予測燃費（又は予測電費）、直近に当該配達車両に給油されて以降の、配達完了となっている配達に要した走行距離、残りの走行可能距離等を、配達車両情報エリア３１２に記憶する。
【００８８】
配達管理情報作成部３０Ｃは、店舗用端末４からの要求に基づいて、配達管理データを検索することで、配達員全員のステータス情報一覧、および未完了業務一覧を含む配達管理情報を作成する。また、店舗用端末４からの要求に基づいて、履歴データを検索することで、配達履歴情報一覧を作成する。
【００８９】
統計情報作成部３１Ｄは、履歴データに基づいて、配達員ＩＤ毎（または配達車両ＩＤ毎）に、平均移動距離、平均配達先滞在時間、配達時間に対する停止時間の割合等を算出し、記憶部３１の配達員情報エリア３１１に、配達員ＩＤ毎（または配達車両ＩＤ毎）に記憶する。これにより統計情報作成部３１Ｄは、配達員ＩＤまたは配達車両ＩＤ毎の種々の統計情報を作成する。
【００９０】
表示データ作成部３０Ｅは、店舗用端末４からの要求に基づいて、店舗用端末４の表示部４４に所定画像を表示させるために必要な表示データを作成し、作成した表示データを、通信部３２を介して店舗用端末４に送信する。より具体的には、表示データ作成部３０Ｅは、配達管理情報作成部３０Ｃにより作成した配達管理情報や統計情報作成部３１Ｄにより作成した各種統計情報、および配達員情報エリア３１１、配達管理情報エリア３１５等に記憶された情報に基づいて、表示データを作成する。作成する表示データには、情報取得部３０２が取得した配達車両（配達員）の位置情報と配達先の周辺の地図情報のデータ、ルート設定部３０６で設定されたルート情報（推奨ルート）等が含まれる。
【００９１】
＜店舗用端末４＞
次に、店舗用端末４について説明する。図７は、店舗用端末４の概略構成を示す図である。図７に示すように、店舗用端末４は、制御部４０と、記憶部４１と、通信部４２と、表示部４４と、入力部４５とを有する。
【００９２】
記憶部４１は、半導体メモリやハードディスクドライブ等で構成される。記憶部４１には、オペレーティングシステム（ＯＳ）やアプリケーションと呼ばれるソフトウェアや、その他の種々の情報が記憶される。
【００９３】
通信部４２は、有線通信（例えば、インターネット回線等）または３ＧおよびＬＴＥ等の無線通信をすることができる通信プロトコルを実装し、配達管理サーバ３と接続して送受信する。
【００９４】
表示部４４は、液晶ディスプレイまたは有機ＥＬパネル等の表示デバイスにより構成され、制御部４０からの指示を受けて、地図やタッチパネル用の操作ボタンのアイコン等を表示する。さらに表示部４４は、配達管理サーバ３の表示データ作成部３０Ｅから送信された表示データを用いて、取得した配達先情報、配達車両の現在位置、現在位置周辺および配達先付近の地図、目的地までの推奨ルート、統計情報や運転管理情報等の各種情報を表示することができる。
【００９５】
入力部４５は、テンキーなどの物理スイッチや、表示部４４の表示面に重ねて設けられたタッチパネル等の入力装置（図示せず）などで構成される。入力部４５を介して、表示部４４の表示画面の切替え指令が入力される。
【００９６】
制御部４０は、ＣＰＵ、ＲＡＭ、ＲＯＭ、Ｉ／Ｏ等を有するプロセッサにより構成される。制御部４０は、機能的構成として、接続処理部４０１と、注文情報取得部４０２と、サーバ情報取得部４０３と、移動体割当部４０４と、複数配達設定部４０５と、画像信号生成部４０６とを有する。
【００９７】
接続処理部４０１は、例えば、店舗（管理者または責任者）を識別する識別番号（店舗管理者ＩＤ）およびパスワードを用いて、配達管理サーバ３に対してログイン処理を実行する。
【００９８】
注文情報取得部４０２は、入力部４５を介して入力された、または記憶部４１に記憶された注文情報を取得する。注文情報は、注文された品物を配達車両を用いて注文主により指定された場所および時間帯に配達するための配達先情報に対応し、注文情報取得部４０２は、通信部４２を介して注文情報（配達先情報）を配達管理サーバ３に送信する。配達先情報には、配達先の配達エリア、配達先の住所氏名、注文品目、集金金額、配達期限（配達予定時刻）、配達先に割り当てられた配達員等が含まれる。
【００９９】
サーバ情報取得部４０３は、店舗用端末４からの要求に応じて配達管理サーバ３（表示データ作成部３０Ｅ等）から送信された表示データに含まれる各種情報、例えば配達車両の現在位置情報、配達先情報、配達員ステータス、配達先の地図情報等を取得する。
【０１００】
移動体割当部４０４は、ユーザからの指令に応じて、未割当の配達先に移動体としての配達員（配達車両）を割り当てる。この割当は、後述する注文入力画面上での操作を介して行うことができる。なお、移動体割当部４０４は、配達管理サーバ３から取得した情報、例えば配達先情報登録部３０３により登録された配達先情報および配達車両情報エリア３１２に記憶された配達車両に関する走行距離に関する情報（当該配達車両の燃料単位あたりの走行可能距離である予測燃費（又は予測電費）、直近に当該配達車両に給油されて以降の、配達完了となっている配達に要した走行距離、残りの走行可能距離）に基づいて、当該配達先に配達車両（配達車両ＩＤ）を自動的に割り当てることもできる。
【０１０１】
複数配達設定部４０５は、管理者により指定された複数配達の対象となる複数の配達先を設定する。
【０１０２】
画像信号生成部４０６は、画像信号を生成するとともに、生成した画像信号を表示部４４に出力し、表示部４４に各種画像を表示させる。画像の切替えは、主に入力部４５の操作を介して指令される。いくつかの画像については、画像信号生成部４０６は、サーバ情報取得部４０３で取得された表示データや複数配達設定部４０５で設定された情報等を用いて画像信号を生成する。なお、画像信号生成部４０６での処理によって表示部４４に表示される画像（表示画面）の具体例については、後述する。
【０１０３】
［配達管理システム１００の動作］
次に、配達管理システム１００の動作の一例について説明する。まず、配達業務を行う際の携帯無線端末２における動作の一例を説明する。この場合の車載ナビゲーション装置１における動作は、携帯無線端末２における動作と同様である。したがって、車載ナビゲーション装置１の動作については説明を省略する。
【０１０４】
図８は、携帯無線端末２の表示部２４に表示される画面の遷移を示す図である。図８に示すログイン画面Ｇ２１上で、配達員が自身のアカウント及びパスワードを入力して、ＬＯＧＩＮボタンをタップ（押下）すると、配達管理サーバ３は、携帯無線端末２との接続処理を行った後、当該配達員に割り当てられている配達先情報を、携帯無線端末２に送信する。携帯無線端末２は、配達管理サーバ３から当該配達員に割り当てられている配達先を受信すると、配達先選択画面Ｇ２２に遷移する。
【０１０５】
配達先選択画面Ｇ２２には、ログインした配達員に割り当てられている配達先一覧が表示される。配達先一覧（配達先情報）は、出発推奨時刻の早い順に表示される。配達先選択画面Ｇ２２の下側領域には、地図アイコン、配達先選択アイコン、給油アイコン、ノウハウ登録アイコン、及び設定アイコンが表示される。これら５つのアイコン（リンク先アイコン１４０１という）は、ログイン後の表示部２４における全ての画面に共通に表示されるアイコンである。５つのリンク先アイコン１４０１のうち、現在有効となっている業務のリンク先アイコン１４０１のみが他とは異なる色で表示される。図示の配達先選択画面Ｇ２２では、配達先選択アイコンのみが他とは異なる色で表示される。
【０１０６】
配達先選択画面Ｇ２２において、地図アイコンがタップされると、地図画面Ｇ２３に遷移する。地図画面Ｇ２３においては、ハウス型アイコン１４１１により、店舗の位置を示すとともに、表示画面上の中央にログインしている配達員の配達車両の現在位置が車両アイコン１４１２により示される。図示は省略するが、配達先選択画面Ｇ２２において、配達先を選択してＯＫボタンをタップすることにより、地図画面Ｇ２３において、選択された配達先までの往路や店舗までの復路情報を表示し、配達先までの往路及び店舗までの復路に関してルート案内を行う。配達中において給油する場合、給油アイコンをタップすることで、配達管理サーバ３に給油情報を送信する。
【０１０７】
次に、店舗用端末４の動作の一例を、表示部４４に表示される主要な入出力画面の画面遷移に基づいて説明する。
【０１０８】
図９は、表示部４４に表示される画面の遷移を示す画面遷移図である。ログイン画面Ｇ４１において、店舗管理者のアカウントおよびパスワードを入力して、ＬＯＧＩＮボタンがタップされると、マップ画面Ｇ４２に遷移する。より具体的には、配達管理サーバ３が当該店舗用端末４との接続処理を行った後、表示データ作成部３０Ｅがマップ画面Ｇ４２の生成に係る所定の情報を店舗用端末４に送信し、画像信号生成部４０６は、サーバ情報取得部４０３が取得した情報等に基づいて画像信号を生成する処理を行い、表示部４４にマップ画面Ｇ４２を表示させる。
【０１０９】
図１０Ａは、マップ画面Ｇ４２の一例を示す図である。図１０Ａに示すように、マップ画面Ｇ４２は、道路と建物とを含む二次元のマップ画像４４１０を画面の大部分に表示したものである。マップ画面Ｇ４２の左側領域４４００（マップ画像４４１０の左側）には、配達員を識別するための配達員名（名前、略称、ニックネームなど）４４０１、ステータス情報４４０２、残りの配達件数４４０３、店舗への帰着予定時刻４４０４等を示す各画像が表示される。
【０１１０】
マップ画像４４１０は、店舗の位置を中心に表示され、マップ画像上に、店舗の位置を示す店舗アイコン４４１１、配達員（店舗を出発している全配達員）の位置を示す配達員アイコン４４１２、配達先の位置を示す配達先アイコン４４１３、配達先に対応付けられた配達先情報を示す吹き出し画像４４１４、配達時および帰還時における予定ルートを示すルート画像４４１５等の画像がオーバーラップして表示される。マップ画像４４１０の端部（左上端部）には、マップ画像４４１０がいつの配達日に対応するかを示す配達日画像４４１６（図では、「今日の配達」）が表示される。
【０１１１】
配達員アイコン４４１２は、マップ画像上における、情報取得部３０２が取得した位置情報によって特定された車載ナビゲーション装置１または携帯無線端末２の位置に表示される。配達員アイコン４４１２は、例えば円の内側に配達員名（略称）を示す文字（１または２の頭文字）が記載されたものであり、各配達員アイコン４４１２は配達状況に応じた色で表示される。例えば、配達先に向かう配達未完了の配達員に対応する配達員アイコン４４１２（円の内部）は、所定の色（例えば青色）で表示され、配達先から店舗に帰還する配達完了の配達員に対応する配達員アイコン４４１２（円の内部）は、配達未完了の配達員アイコン４４１２とは異なる所定の色（例えば紫色）で表示される。これにより管理者は、配達員の現在位置をマップ上で把握しながら、その配達員の配達ステータスを容易に把握することができる。
【０１１２】
配達先アイコン４４１３は、マップ画像４４１０上の配達先に対応する位置にドロップピンの形態で表示される。各配達先アイコン４４１３は、配達ステータスに応じた色、大きさ、形状で表示される。
【０１１３】
図１１Ａ，図１１Ｂは、配達先アイコン４４１３の表示形態と配達ステータス（配達状態）との関係の一例を示す図である。図１１Ａは、同一の配達員が配達のための一度の外出にて単一の配達先にのみ配達する単数配達の場合の一例であり、図１１Ｂは、同一の配達員が配達のための一度の外出にて複数の配達先に配達する複数配達の場合の一例である。図１１Ａ，図１１Ｂに示すように、単数配達、複数配達いずれの場合においても、配達ステータスが４通りに、すなわち、配達員が未割当（担当未割当）、店舗へ帰還中、配達先へ配達中、および配達対応が行われてない状態（配達対応未）にそれぞれ分けられ、さらにこれらは配達予定時刻が現在時刻から１時間以内の場合と１時間後以降の場合とにそれぞれ細分化されるとともに、これらとは別に配達予定時刻が翌日以降の場合に分けられる。これら場合分けしたそれぞれについて、配達先アイコン４４１３が定義される。なお、配達対応未には、担当員が既に割当済みで、かつ、当該担当員が出発前の場合（配達中でない場合）が含まれる。
【０１１４】
図１１Ａ，１１Ｂには、全体で１８通りの配達先アイコン４４１３（４４１３Ａ〜４４１３Ｒ）が示されるが、これらは表示形態が互いに異なるように、表示色と、表示色の濃淡と、アイコンの大きさと、形状とが定義される。具体的には、単数配達の場合、配達先アイコン４４１３Ａ〜４４１３Ｉは、中央に１つの円が設けられた第１のドロップピン形状とされ、複数配達の場合、配達先アイコン４４１３Ｊ〜４４１３Ｒは、中央に２つの円が設けられた第２のドロップピン形状とされる。したがって、管理者は、配達先アイコン４４１３が単数配達と複数配達のいずれに属するかを、一見して判別できる。
【０１１５】
さらに単数配達において、配達先アイコン４４１３は、配達予定時刻が翌日以降のとき例えば灰色で表示され（４４１３Ａ）、配達ステータスが担当未割当のとき例えば黄色で表示され（４４１３Ｂ，４４１３Ｃ）、配達ステータスが帰還中のとき例えば紫色で表示され（４４１３Ｄ，４４１３Ｅ）、配達ステータスが配達中のときおよび配達対応未のとき、例えば青色で表示される（４４１３Ｆ〜４４１３Ｉ）。複数配達においても、配達予定時刻が翌日以降のとき、配達ステータスが担当未割当のとき、および配達ステータスが帰還中のときは、単数配達のときと同様、配達先アイコン４４１３はそれぞれ例えば灰色（４４１３Ｊ）、黄色（４４１３Ｋ，４４１３Ｌ）、および紫色（４４１３Ｍ，４４１３Ｎ）で表示される。一方、配達ステータスが配達中のとき、および配達対応未のときは、単数配達のときとは異なる色（例えば緑色）で表示される（４４１３Ｏ〜４４１３Ｒ）。
【０１１６】
また、単数配達、複数配達いずれの場合においても、配達予定時刻が翌日以降、配達ステータスが担当未割当かつ配達予定時刻が１時間以内、および配達ステータスが配達中のとき、配達先アイコン４４１３は通常の濃さで表示され（４４１３Ａ，４４１３Ｂ，４４１３Ｆ，４４１３Ｇ，４４１３Ｊ，４４１３Ｋ，４４１３Ｏ，４４１３Ｐ）、それ以外の場合は薄く表示される（４４１３Ｃ〜４４１３Ｅ，４４１３Ｈ，４４１３Ｉ，４４１３Ｌ〜４４１３Ｎ，４４１３Ｑ，４４１３Ｒ）。さらに、単数配達、複数配達いずれの場合においても、配達予定時刻が翌日以降のとき、および各配達ステータスにおける配達予定時刻が１時間以内のとき、配達先アイコン４４１３は第１の大きさ（通常の大きさ）で表示され（４４１３Ａ，４４１３Ｂ，４４１３Ｄ，４４１３Ｆ，４４１３Ｈ，４４１３Ｊ，４４１３Ｋ，４４１３Ｍ，４４１３Ｏ，４４１３Ｑ）、各配達ステータスにおける配達予定時刻が１時間後以降のとき、配達先アイコン４４１３は第１の大きさよりも小さい第２の大きさで表示される（４４１３Ｃ，４４１３Ｅ，４４１３Ｇ，４４１３Ｉ，４４１３Ｌ，４４１３Ｎ，４４１３Ｐ，４４１３Ｒ）。
【０１１７】
このように配達ステータスに応じた色および大きさで配達先アイコン４４１３を表示することで、管理者は配達員の現在位置および配達先の位置をマップ画像４４１０上で把握した上で、各配達先への配当員の割当の有無等を容易に把握することができる。また、単数配達と複数配達とでアイコン形状を変化させることで、管理者は各配達先が単数配達と複数配達のいずれに属するのかを容易に識別することができる。なお、図１０Ａは当日配達の画像表示の例である。
【０１１８】
図１０Ａに示すように、吹き出し画像４４１４は、配達先アイコン４４１３に付加または付随して表示されるものである。吹き出し画像４４１４には、吹き出しの枠内に、配達予定時刻と整理番号とを表示する時間表示部４４１８と、配達先に割り当てられた配達員を識別するための文字（例えば配達員名の１または２の頭文字）を表示する配達員表示部４４１９とが並べて設けられる。配達先に配達員が割り当てられていないときは、配達員表示部４４１９は空欄となる。これにより管理者は、配達先の注文情報とともに、未割当の配達先を容易に把握することができる。なお、配達先に配達員が割り当てられると、当該配達員を示す配達員アイコン４４１２は、配達先アイコン４４１３と同様、配達ステータスに応じた表示形態で表示される。例えば、対応する配達先アイコン４４１３と同一の色、濃淡、大きさで表示される。
【０１１９】
マップ画面Ｇ４２の右上領域には、吹き出し画像の表示、非表示を切替える表示切替えアイコン４４１７が設けられる。図１０Ａの状態で表示切替えアイコン４４１７がタップされると、全ての吹き出し画像４４１４が消去される。全ての吹き出し画像４４１４が消去された状態で、表示切替えアイコン４４１７がタップされると、吹き出し画像４４１４が再び表示され、図１０Ａの状態に復帰する。このように表示切替えアイコン４４１７のタップ操作に応じて吹き出し画像４４１４の表示、非表示を交互に切り替えることで、マップ画像上の道路位置等の視認性が高まり、管理者は道路情報等を容易に把握することができる。なお、全ての吹き出し画像４４１４の表示、非表示を切替えるのではなく、所定の配達ステータスに対応した吹き出し画像４４１４の表示、非表示を切替えるように構成することもできる。
【０１２０】
マップ画面Ｇ４２の上側領域４４２０（マップ画像４４１０の上側）には、４つの業務ボタン（マップ、注文入力、業務管理、設定）が表示される。これらの業務ボタン（業務リンクボタン４４２１と総称する）は、ログイン後の表示部４４における全ての画面に共通に表示される。これにより、どの画面を表示している場合においても、いずれかの業務リンクボタン４４２１をタップすることで、当該リンク先の業務画面に遷移することができる。４つの業務リンクボタン４４２１のうち、現在有効となっている業務のボタンのみが他と異なる色で表示される。これにより、ユーザは、現在表示部４４に表示されている業務がどの業務リンクボタン４４２１の示す業務に属するのかを容易に認識できる。
【０１２１】
マップ画面Ｇ４２において、業務リンクボタン４４２１のうちの注文入力（ボタン）がタップされると、注文入力画面Ｇ４３に遷移する。図１０Ｂは、注文入力画面Ｇ４３の一例を示す図である。図１０Ｂに示すように、注文入力画面Ｇ４３には、配達先の住所や配達予定時刻等の配達先情報を指定する配達先指定部４４３２と、当該配達先に割り当てる配達員を指定する配達員指定部４４３３とが設けられる。ユーザは、配達先指定部４４３２と配達員指定部４４３３とを介して、それぞれ配達先情報と当該配達先に割り当てる配達員とを入力可能である。配達員の指定に関しては、配達員指定部４４３３をタップすると、指定可能な配達員の候補一覧が表示され、その候補一覧から配達員を選択することで、配達員の入力が可能となる。
【０１２２】
配達員の割当は、マップ画面Ｇ４２上で行うことも可能である。図１４はその一例を示す図である。図１０Ａにおいて、配達員が未割当の配達先に対応する吹き出し画像４４１４の配達員表示部４４１９（空欄の配達員表示部４４１９）がタップされると、図１４の画像に移行する。図１４では、配達員の一覧表示するリスト画像４４０５がマップ画像４４１０上に重ねて表示される。リスト画像４４０５には、配達管理サーバ３から取得した各配達員の配達ステータスと、配達ステータスに関連する情報（配達予定時刻やログアウト時刻）が一覧で表示される。このリスト画像４４０５上で、タップ操作により配達員を選択することで、当該配達先に配達員の割り当てを行うことができる。これによりマップ画面上で即座に配達員の割り当てを行うことができ、スピーディな配達管理が可能となる。
【０１２３】
配達先情報等を入力後に注文入力画面Ｇ４３上の「注文を登録」ボタン４４３１がタップされると、注文情報取得部４０２が、入力された配達先情報を取得する。さらに、入力された配達先情報は配達管理サーバ３に送信され、配達先情報エリア３１３に登録される。このとき、画像信号生成部４０６での処理により、表示画面はマップ画面Ｇ４２に遷移し、図１０Ａに示すように、入力された情報がマップ画面Ｇ４２に反映して表示される。
【０１２４】
マップ画面Ｇ４２において、業務リンクボタン４４２１のうちの業務管理（ボタン）がタップされると、業務管理情報表示画面に遷移する。図９に示すように、業務管理情報表示画面は、配達員ステータス画面Ｇ４４と、未完了業務画面Ｇ４５と、配達履歴画面Ｇ４６と、統計情報画面Ｇ４７とを含み、教務管理（ボタン）がタップされた直後は、配達員ステータス画面Ｇ４４に遷移する。
【０１２５】
図１０Ｃは、配達員ステータス画面Ｇ４４の一例を示す図である。図１０Ｃに示すように、配達員ステータス画面Ｇ４４の上側領域（業務情報ボタン領域４４４０という）には、４つの業務情報リンクボタン（配達員ステータス、未完了業務、配達履歴、統計情報）が表示される。これらの業務情報リンクボタン（業務情報リンクボタン４４４１と総称する）は、それぞれの業務管理情報表示画面Ｇ４４〜Ｇ４７に共通に表示される。これにより、どの業務管理情報表示画面を表示している場合においても、いずれかの業務情報リンクボタン４４４１をタップすることで、当該リンク先の業務管理情報表示画面に遷移することができる。４つの業務情報リンクボタン４４４１のうち、現在有効となっている業務情報リンクボタン４４４１のみが他と異なる色で表示される。これにより、ユーザは、現在表示部４４に表示されている業務情報がどの業務情報リンクボタン４４４１の示す業務情報に属するのかを容易に認識できる。
【０１２６】
配達員ステータス画面Ｇ４４には、現時点の配達員のステータス情報（配達員氏名、ステータス、配達先等）が表示される。具体的には、ステータス情報（配達中、接客中、停止中、異常停止、帰還中、給油中、未配達、待機中、ログアウト）を第１ソートキー、配達員の名前を第２ソートキーとして、ソートされた配達員のステータス情報一覧の画像が表示される。なお、複数の配達先に一括配達する複数配達の場合、現在配達中の業務についてのステータスが表示される。
【０１２７】
図９に示すように、配達員ステータス画面Ｇ４４において、「未完了業務」ボタンがタップされると、未完了業務画面Ｇ４５に遷移する。図１０Ｄは、未完了業務画面Ｇ４５の一例を示す図である。図１０Ｄに示すように、未完了業務画面Ｇ４５には、現時点における配達ステータスが「完了」（配達が全て完了し、店舗に帰着が完了した配達業務）以外の配達管理データにおける、配達員名、配達ステータス、出発予定時刻、出発時刻（実績）、配達予定時刻、配達時刻（実績）、帰着予定時刻、帰着時刻（実績）、配達先等の未完了業務一覧の画像が表示される。なお、担当者が未割当の場合、配達員の欄には「−」を表示するとともに、未割当業務が優先的に画面上に表示される。
【０１２８】
未完了業務画面Ｇ４５では、複数の配達先を一度に廻る一括配達（複数配達）を設定することができる。具体的には、各未配達ステータスの配達先に対応する画面上のチェックボックス４４５１を２つ以上タップすることで、複数の配達先が選択される。複数の未配達ステータスの配達先が選択された後、画面上の一括配達ボタン４４５２をタップすることで、これらの配達を複数配達に設定することができる。なお、複数配達は、後述するようにマップ画面Ｇ４２上でも設定することができる。
【０１２９】
図９に示すように、配達員ステータス画面Ｇ４４において、「配達履歴」ボタンがタップされると、配達履歴画面Ｇ４６に遷移する。図１０Ｅは、配達履歴画面Ｇ４６の一例を示す図である。図１０Ｅに示すように、配達履歴画面Ｇ４６には、上側領域４４６０に４つの表示切替えボタン４４６１（今日、指定日、過去１週間、過去１ヶ月）が表示される。いずれかの表示切替えボタン４４６１がタップされると、サーバ情報取得部４０３は、対応する期間の配達履歴情報（配達員、配達日、出発時刻、到着時刻、停車／経過時間、配達先）を配達管理サーバ３から受信し、画像信号生成部４０６は、これに基づいて画像信号を生成して表示部４４に表示させる。図１０Ｅには、過去１か月の配達履歴情報の一例が示される。
【０１３０】
図９に示すように、配達員ステータス画面Ｇ４４において、「統計情報」ボタンがタップされると、統計情報画面Ｇ４７に遷移する。図１０Ｆは、統計情報画面Ｇ４７の一例を示す図である。図１０Ｆに示すように、統計情報画面Ｇ４７には、上側領域（統計情報表示切替えボタン領域４４７０という）に３つの表示切替えボタン４４７１（平均配達先滞在時間、平均移動距離、配達時間に対する停車時間）が表示される。いずれかの表示切替えボタン４４７１をタップすることで、サーバ情報取得部４０３は、対応する統計情報（平均配達先滞在時間、平均移動距離、配達時間に対する停車時間）を配達管理サーバ３から受信し、画像信号生成部４０６は、これに基づいて画像信号を生成して表示部４４に表示させる。図１０Ｆには、配達時間に対する停車時間（％）の統計情報の一例が示される。
【０１３１】
本実施形態の特徴的構成として、画像信号生成部４０６は、複数配達の対象となる配達先をマップ画面Ｇ４２上で管理者が指定することができるように画像信号を生成する。以下、この点について説明する。
【０１３２】
図１２Ａ〜図１２Ｃは、複数配達指令時におけるマップ画面Ｇ４２の遷移を示す図である。図１０Ａのマップ画面Ｇ４２上の所定位置（例えば画面右下）に表示された「複数配達」ボタン４４２２がタップされると、マップ画面Ｇ４２が図１２Ａの状態に遷移する。なお、図１０Ａは通常モード時のマップ画面Ｇ４２（Ｇ４２１）であり、図１２Ａ、図１２Ｂは複数配達モード時のマップ画面Ｇ４２（Ｇ４２２，Ｇ４２３）である。さらに図１２Ｃは複数配達モードから通常モードに戻ったときのマップ画面Ｇ４２（Ｇ４２４）である。通常モードでは、マップ画面Ｇ４２上で複数配達の配達先を指令することはできず、複数配達の配達先を指定するためには、複数配達モードに切替える必要がある。
【０１３３】
図１２Ａに示すように、マップ画面Ｇ４２２には、複数配達指定中であることを示す文字画像４４２３がマップ画像上の所定位置（例えば左上欄）に表示されるとともに、複数配達ボタン４４２２の色が第１の色（例えば青色）から第２の色（例えば赤色）へと変化する。これにより管理者は、複数配達モードへの切替えを容易かつ確実に認識できる。複数配達モード時には、図１０Ａで表示された配達員アイコン４４１２と、配達員アイコン４４１２の配達予定ルート（推奨ルート）を示すルート画像４４１５と、既に配達員が配達に出発した案件の配達先アイコン（４４１３Ｄ，４４１３Ｅ，４４１３Ｆ，４４１３Ｇ，４４１３Ｍ，４４１３Ｎ，４４１３Ｏ，４４１３Ｐ）とが、マップ画像４４１０上から消去される。
【０１３４】
さらに、マップ画像４４１０上からは、配達ステータスが帰還中および配達中であるもの、すなわち複数配達の対象とならない配達先アイコン４４１３とこれに付随する吹き出し画像４４１４とが消去される。したがって、マップ画像４４１０上には、店舗アイコン４４１１と、例えば薄い青色で表示された配達員が割当済みかつ配達対応未の配達先アイコン４４１３Ｈ（図１１Ａ参照）およびこれに付随する吹き出し画像４４１４と、例えば黄色で表示された配達員が未割当の配達先アイコン４４１３Ｂ（図１１Ａ参照）およびこれに付随する吹き出し画像４４１４とが表示される。これにより複数配達の指定にとって不要な画像が消去されるので、管理者は、複数配達の対象となる配達先情報を容易に認識できる。
【０１３５】
図１２Ａの画像上で、管理者が複数配達の対象とすべき複数の配達先の吹き出し画像４４１４（例えば２箇所の吹き出し画像４４１４）をタップすると、図１２Ｂのマップ画面Ｇ４２３に示すように、選択された吹き出し画像４４１４（４４１４Ａ）の表示が第１の色から第２の色に変化する。これにより管理者は、複数配達としてどの配達先を選択したかを容易に認識できる。第２の色で表示された吹き出し画像４４１４Ａを再びタップすると、複数配達としての選択が解除され、吹き出し画像４４１４の表示が第２の色から第１の色に変化する。なお、この場合の第１の色および第２の色は、複数配達ボタンと４４２２の第１の色および第２の色とは異なった色に定義される。
【０１３６】
図示は省略するが、図１２Ｂのマップ画面Ｇ４２３において、配達先アイコン４４１３をタップすると、その配達先アイコン４４１３に付随した吹き出し画像４４１４が消去され、再び配達先アイコン４４１３がタップされると、消去された吹き出し画像４４１４が復活する。これにより吹き出し画像４４１４が重なり合っているときに、その重なり合いを一時的に解消することができる。このため、管理者は、全ての吹き出し画像４４１４に記載の配達先情報を容易に認識することが可能である。なお、上述したように、表示切替えアイコン４４１７タップ操作により、吹き出し画像４４１４を一斉に非表示とすることもできる。
【０１３７】
さらにマップ画面Ｇ４２３においては、配達先が複数選択されたことにより、マップ画像４４１０の最下部に表示された「一括登録」ボタン４４２４が活性化する。管理者が一括登録ボタン４４２４をタップすると、選択された配達先が配達管理サーバ３に送信され、ルート設定部３０６が複数配達時の推奨ルート（仮ルート）を算出する。この仮ルートは、複数配達の配達先情報とともに複数配達設定部４０５に設定される。
【０１３８】
図１２Ｂで一括登録ボタン４４２４がタップされると、図１２Ｃに示すように通常モードのマップ画面Ｇ４２４に戻る。マップ画面Ｇ４２４においては、複数配達として指定された配達先アイコン４４１３Ｋ（図１１Ｂ参照）の表示形態（ドロップピンの形状）が変化する。さらに、店舗から複数配達の配達先までの仮ルート４４２５が通常の配達予定ルートのルート画像４４１５とは異なる表示形態（例えば点線）で表示される。これにより管理者は、複数配達の対象である配達先と複数配達の対象でない通常の配達先とを区別して把握することができるとともに、複数配達におけるルートと複数配達でない通常配達のルートとを区別して把握することができる。
【０１３９】
図１２Ａ，１２Ｂに示すように、複数配達モードにおけるマップ画面Ｇ４２２，Ｇ４２３には、未完了業務画面Ｇ４５への切替えを指令する「リスト表示」ボタン４４２６が表示される。例えば図１２Ｂにおいて、管理者がリスト表示ボタン４４２６をタップすると、マップ画面Ｇ４２３から複数配達モード時における未完了業務画面Ｇ４５（Ｇ４５１）に遷移する。図１３は、未完了業務画面Ｇ４５１の一例を示す図である。図１３に示すように、複数配達モードにおいては、マップ画面Ｇ４２３で表示された複数配達の候補が一覧表示される。管理者は、この未完了業務画面Ｇ４５１のチェックボックス４４５１をタップすることで、複数配達の配達先を指定することができる。すなわち、管理者は、マップ画面Ｇ４２だけでなく未完了業務画面Ｇ４５においても、複数配達の配達先を指定することができる。
【０１４０】
未完了業務画面Ｇ４５１においては、マップ画面Ｇ４２で指定された情報が引き継がれ、対応する配達先のチェックボックス４４５１に自動的にチェックが入る。なお、未完了業務画面Ｇ４５１で複数配達の配達先を指定したときは、その情報がマップ画面Ｇ４２に引き継がれ、配達先アイコンＧ４４１３の表示態様が変化する。これにより管理者は画面Ｇ４２、Ｇ４５毎に複数配達の配達先を指定し直す必要がなく、複数配達の指定が容易である。未完了業務画面Ｇ４５の最下部には「マップ表示」ボタン４４２７が表示され、管理者がマップ表示ボタン４４２７をタップすると、マップ画面Ｇ４２３に遷移する。
【０１４１】
図１５Ａ，１５Ｂは、複数配達モードを実現するマップ画面Ｇ４２の他の例（Ｇ４２５，Ｇ４２６）を示す図である。図１５Ａに示すように、マップ画面Ｇ４２５の上部（マップ画像４４１０の上方領域）には、複数配達モードを指定する複数配達ボタン４２５１が、複数配達ボタン４４２２に代えて設けられる。複数配達ボタン４２５１の側方には、複数配達モードにおける表示をマップ画面Ｇ４２と未完了業務画面Ｇ４５（図１３）とに切り替える表示切替えボタン４２５２，４２５３が設けられる。
【０１４２】
複数配達ボタン４２５１をタップして複数配達モードが指定されると、図１２Ａと同様、配達員アイコン４４１２と、配達員アイコン４４１２の配達予定ルート（推奨ルート）を示すルート画像４４１５と、既に配達員が配達に出発した案件の配達先アイコン（４４１３Ｄ，４４１３Ｅ，４４１３Ｆ，４４１３Ｇ，４４１３Ｍ，４４１３Ｎ，４４１３Ｏ，４４１３Ｐ）とが消去されるとともに、吹き出し画像４４１４の操作による複数配達の対象となる配達先の指定が可能となる。このとき、マップ画像４４１０の上部に、「吹き出しをタップして選択」のように複数配達時にユーザがなすべき操作を報知するメッセージ画像４２５４が表示される。さらに、複数配達の対象となる可能性のある複数の配達先を結んだ配達予定ルート４２５６が表示される。配達予定ルート４２５６が表示されることで、複数配達の配達先の選択が容易となる。
【０１４３】
この状態から、管理者が複数の吹き出し画像４４１４をタップして配達先を選択すると、図１５Ｂに示すように、図１２Ｂと同様、吹き出し画像４４１４の表示が第１の色から第２の色に変化するとともに、マップ画像４４１０の下部の「次へ」ボタン４２５５が活性化される。「次へ」ボタン４２５５がタップされると、複数配達の対象となる配達先が確定し、図示しない配達順の選択画面に移行する。なお、マップ画面Ｇ４２５，Ｇ４２６において表示切替えボタン４２５３がタップされると、未完了業務画面Ｇ４５１（図１３）に移行するが、このときマップ画面Ｇ４２５、Ｇ４２６で指定された情報は、未完了業務画面Ｇ４５１に引き継がれる。
【０１４４】
以上、図１２Ａ〜図１２Ｃ，図１３，図１５Ａ，図１５Ｂに示した複数配達モードにおける各画像は、画像信号生成部４０６が、配達管理サーバ３（表示データ作成部３０Ｅ等）から取得した情報に基づき、管理者による入力部４５を介した操作、すなわちマップ画面Ｇ４２や未完了業務画面Ｇ４５上でのタップ操作に応じて画像信号を生成することで得られる。
【０１４５】
本発明の実施形態によれば以下のような作用効果を奏することができる。
（１）配達管理装置６は、品物の配達先に対応付けられた配達先と配達予定時刻とを含む注文情報（配達先情報）を取得する注文情報取得部４０２と、配達管理サーバ３を介して、配達先を含む地図情報を取得するサーバ情報取得部４０３と、配達先に対応付けられる配達車両や配達員等の移動体の位置情報を取得する情報取得部３０２と、画面上での操作により通常モードと複数配達モードのいずれかを指定する複数配達ボタン４４２２，４２５１と、注文情報取得部４０２とサーバ情報取得部４０３と情報取得部３０２とから取得した情報に基づき、複数配達ボタン４４２２，４２５１で指定されたモードに応じて画像信号を生成する画像信号生成部４０６と、画像信号生成部４０６で生成された画像信号に対応する画像を表示する表示部４４と、表示部４４に表示された画像上で、管理者のタップ操作により複数の配達先を経由した配達である複数配達の対象となる配達先を指定する部位、すなわち吹き出し画像４４１４とを備える（図１，図４，図７，図１０Ａ，図１２Ａ，図１５Ａ）。画像信号生成部４０６は、複数配達ボタン４４２２の操作により通常モードが指定されると、移動体の位置を示す配達員アイコン４４１２と配達先の地点と注文情報とを示す配達先アイコン４４１３および吹き出し画像４４１４とをマップ画像４４１０上に表示させるとともに、マップ画像４４１０上での吹き出し画像４４１４の操作による配達先の指定が不可能であるように画像信号を生成し、複数配達ボタン４４２２，４２５１の操作により複数配達モードが指定されると、マップ画像４４１０上での吹き出し画像４４１４の操作による配達先の指定が可能となるように画像信号を生成する（図１２Ａ〜図１２Ｃ，図１５Ａ，図１５Ｂ）。
【０１４６】
この構成により、管理者はマップ画面Ｇ４２を見て配達先情報を確認しながら、複数配達の配達先を指定することができる。すなわち、管理者は、複数配達の配達先を高い自由度で指定することができる。したがって、食品宅配業等、店舗が随時注文を受け付けるような業種において、管理者は複数配達を含む効率的な配達計画を容易かつ迅速に作成することができる。
【０１４７】
（２）画像信号生成部４０６は、複数配達ボタン４４２２の操作により複数配達モードが指定されると、配達員アイコン４４１２を消去するように画像信号を生成する（図１２Ａ，図１５Ａ）。これにより複数配達の指定にとって不要な表示が削除されるため、管理者が複数配達の配達先を指定する際のマップ画面Ｇ４２の視認性が向上し、複数配達の配達先を容易に選択できる。
【０１４８】
（３）配達管理装置６は、予め指定された配達先または店舗を目的地とする移動体の推奨ルートを設定するルート設定部３０６をさらに備える（図４）。画像信号生成部４０６は、複数配達ボタン４４２２の操作により通常モードが指定されるとき、マップ画像４４１０上にルート設定部３０６で設定された推奨ルートのルート画像４４１５を表示し、複数配達モードが指定されると、ルート画像４４１５を消去するように画像信号を生成する（図１０Ａ，図１２Ａ，図１２Ｂ）。これによっても管理者が複数配達の配達先を指定する際のマップ画面Ｇ４２の視認性が向上し、複数配達の選択操作を容易に行うことができる。
【０１４９】
（４）画像信号生成部４０６は、複数配達モードで吹き出し画像４４１４の操作による複数配達の指定がなされた配達先に対応する配達先アイコン４４１３Ｋの表示形態が、複数配達の指定がなされていない配達先に対応する配達先アイコン４４１３Ｂの表示形態と異なるように画像信号を生成する（図１２Ｃ）。すなわち、配達先アイコン４４１３Ｂをと配達先アイコン４４１３Ｅのドロップピン形状を互いに異なって表示する。これにより管理者は、複数配達の対象である配達先を容易に認識することができる。
【０１５０】
（５）配達管理装置６は、配達先に移動体を割り当てる移動体割当部４０４をさらに備える（図７）。画像信号生成部４０６は、移動体割当部４０４により移動体が割り当てられた配達先に対応する配達先アイコン４４１３の表示形態が、移動体が割り当てられていない配達先に対応する配達先アイコン４４１３の表示形態と異なるように、すなわち互いに異なる色で表示されるように画像信号を生成する（図１１Ａ，図１１Ｂ）。これにより、管理者は配達員の割当の有無を容易に把握することができ、配達計画の作成に当たり、未割当の配達先に確実に配達員を割り当てることができる。
【０１５１】
（６）配達管理装置６は、マップ画面Ｇ４２と配達先毎の注文情報を表形式で表示する未完了業務画面Ｇ４５との間で、表示画面の切替えを指令するリスト表示ボタン４４２６，マップ表示ボタン４４２７あるいは表示切替えボタン４２５２，４２５３をさらに備える（図１２Ａ，図１３，図１５Ａ）。複数配達の対象となる配達先は、マップ画面Ｇ４２だけでなく未完了業務画面Ｇ４５（Ｇ４５１）においても指定可能であり、複数配達ボタン４４２２，４２５１の操作により複数配達モードが指定された状態で、マップ画面Ｇ４２および未完了業務画面Ｇ４５のいずれか一方の画面で、吹き出し画像４４１４の操作またはチェックボックス４４５１の入力操作により複数配達の対象となる配達先が指定されると、指定された情報がいずれか他方の画面に引き継がれる（図１２Ａ，図１３，図１５Ａ）。これにより管理者は画面Ｇ４２、Ｇ４５毎に複数配達の配達先を指定し直す必要がなく、複数配達の指定が容易である。
【０１５２】
（７）本発明の実施形態に係る配達管理方法は、上述した配達管理装置６の動作を手順として構成されるものであり、品物の配達先に対応付けられた注文情報を取得する注文情報取得手順と、配達先を含む地図情報を取得する地図情報取得手順と、配達先に割り当てられる配達車両や配達員等の移動体の位置情報を取得する位置情報取得手順と、表示モード（通常モード、複数配達モード）を指定するモード指定手順と、注文情報取得手順と地図情報取得手順と位置情報取得手順とで取得した情報に基づき、モード指定手順で指定された表示モードに応じて画像信号を生成する画像信号生成手順と、画像信号生成手順で生成された画像信号に対応する画像を表示する表示手順と、表示手順で表示された画像上で、複数の配達先を経由した配達である複数配達の対象となる配達先を指定する複数配達指定手順とを含む。画像信号生成手順では、モード指定手順で通常モードが指定されると、移動体の位置を示す配達員アイコン４４１２と配達先の地点と注文情報とを示す配達先アイコン４４１３および吹き出し画像４４１４とをマップ画像４４１０上に表示させるとともに、マップ画像４４１０上での複数配達指定手順における配達先の指定が不可能であるように画像信号を生成し、モード指定手順で複数配達モードが指定されると、マップ画像４４１０上での複数配達指定手順における配達先の指定が可能となるように画像信号を生成する。これにより、管理者が複数配達の配達先を指定する際の自由度が高く、効率的な配達計画の作成が可能である。
【０１５３】
（８）配達管理システム１００は、品物の配達先に対応付けられた注文情報を取得する注文情報取得部４０２を有する店舗用端末４と、注文情報取得部４０２で取得した注文情報に応じて配達先へ品物を配達する配達車両や配達員等の移動体に設けられた車載ナビゲーション装置１または携帯無線端末２と、店舗用端末４および車載ナビゲーション装置１または携帯無線端末２とそれぞれ通信を行う配達管理サーバ３とを備える（図１）。この配達管理システム１００は、車載ナビゲーション装置１または携帯無線端末２に設けられ、移動体の位置を検出するセンサ部１３，２３と、配達管理サーバ３に設けられ、センサ部１３，２３により検出された位置情報を取得する情報取得部３０２と、店舗用端末４に設けられ、配達管理サーバ３と通信して配達先を含む地図情報を取得するサーバ情報取得部４０３と、店舗用端末４に設けられ、画面上での操作により通常モードと複数配達モードのいずれかを指定する複数配達ボタン４４２２，４２５１と、店舗用端末４に設けられ、注文情報取得部４０２とサーバ情報取得部４０３と情報取得部３０２とから取得した情報に基づき、複数配達ボタン４４２２，４２５１で指定されたモードに応じて画像信号を生成する画像信号生成部４０６と、店舗用端末４に設けられ、画像信号生成部４０６で生成された画像信号に対応する画像を表示する表示部４４と、店舗用端末４に設けられ、表示部４４に表示された画像上で、複数の配達先を経由した配達である複数配達の対象となる配達先を指定する吹き出し画像４４１４とを備える（図４，図７，図１０Ａ，図１２Ａ，図１５Ａ）。画像信号生成部４０６は、複数配達ボタン４４２２の操作により通常モードが指定されると、移動体の位置を示す配達員アイコン４４１２と配達先の地点と注文情報とを示す配達先アイコン４４１３および吹き出し画像４４１４とをマップ画像４４１０上に表示させるとともに、マップ画像４４１０上での吹き出し画像４４１４の操作による配達先の指定が不可能であるように画像信号を生成し、複数配達ボタン４４２２，４２５１の操作により複数配達モードが指定されると、マップ画像４４１０上での吹き出し画像４４１４の操作による配達先の指定が可能となるように画像信号を生成する（図１２Ａ〜図１２Ｃ，図１５Ａ，図１５Ｂ）。これにより、管理者は高い自由度の下で複数配達の配達先を指定することができ、効率的な配達計画の作成が可能である。
【０１５４】
（変形例）
上記実施形態は、種々の形態に変形することができる。以下、いくつかの変形例について説明する。上記実施形態（図４）では、配達管理サーバ３に、配達車両または配達員（これらを移動体と総称する）の位置情報を取得する情報取得部３０２を設け、移動体の位置情報および配達先を含む地図情報を店舗用端末４のサーバ情報取得部４０３が取得するようにしたが、配達管理サーバ３を介さずに、店舗用端末４がこれら位置情報と地図情報とを取得するようにしてもよい。すなわち、配達管理サーバ３と店舗用端末４とで配達管理装置６を構成するのではなく、例えば店舗用端末４のみで配達管理装置６を構成してもよく、位置情報取得部と地図情報取得部の構成は上述したものに限らない。上記実施形態では、ＧＰＳセンサ（センサ部１３，２３）により移動体の位置を検出するようにしたが、検出部の構成はこれに限らない。
【０１５５】
上記実施形態（図１０Ａ）では、画像信号生成部４０６がマップ画像上に配達先アイコン４４１３と吹き出し画像４４１４とを表示させるようにしたが、付加画像の構成（形状、大きさ、色、配置等）は上述したものに限らない。すなわち、配達先の地点と注文情報とを示す付加画像を、マップ画像上の配達先の地点に対応付けてマップ画像上に表示させるように画像信号を生成するのであれば、画像信号生成部の構成はいかなるものでもよい。配達先アイコン４４１３と吹き出し画像４４１４のいずれか一方、あるいは配達先アイコン４４１３と吹き出し画像４４１４にさらに別の画像を加えたものを、付加画像としてもよい。配達員アイコン４４１２により移動体の位置を示すようにしたが、移動体画像の構成は上述したものに限らない。
【０１５６】
上記実施形態では、配達管理サーバ３（表示データ作成部３０Ｅ）から店舗用端末４に表示データを送信し、その表示データを用いて店舗用端末４で画像信号を生成するようにしたが、配達管理サーバ３で画像信号を生成し、その画像データを配達管理サーバ３から店舗用端末４に送信するようにしてもよい。すなわち、画像信号生成部としての処理の少なくとも一部を、店舗用端末４でなく配達管理サーバ３で行うようにしてもよい。換言すれば、画像信号生成部は、配達管理サーバ３および店舗用端末４の少なくとも一方に設けられればよい。また、ユーザ（管理者）からの指令に応じて配達先に移動体を割り当てる移動体割当部４０４を、店舗用端末４ではなく配達管理サーバ３に設けるようにしてもよい。
【０１５７】
上記実施形態では、マップ画面Ｇ４２上での複数配達ボタン４４２２，４２５１の操作により通常モード（第１モード）および複数配達モード（第２モード）のいずれかを指定するようにしたが、他の操作により表示モードを指定するようにしてもよく、モード指定部の構成は上述したものに限らない。上記実施形態では、マップ画面Ｇ４２上での吹き出し画像４４１４の選択操作により、複数配達の対象となる配達先を指定するようにしたが、他の画像選択操作によりこれを指定するようにしてもよく、複数配達指定部の構成は上述したものに限らない。したがって、通常モードにおいてマップ画像上での複数配達の配達先の指定が不可能であり、複数配達モードにおいてマップ画像上での複数配達の配達先の指定が可能となるように画像信号を生成するのであれば、画像信号生成部の構成はいかなるものでもよい。
【０１５８】
上記実施形態（図１２Ａ）では、複数配達モードが指定されると、配達員アイコン４４１２とルート画像４４１５の双方を消去するようにしたが、いずれか一方のみを消去するようにしてもよい。上記実施形態（図１２Ｃ）では、複数配達の配達先に対応する配達先アイコン４４１３の形状を変更するようにしたが（４４１３Ｂ→４４１３Ｋ）、互いの表示色を変更する等、他の手法で、付加画像の表示形態を互いに異ならせるようにしてもよい。上記実施形態（図１１Ａ，図１１Ｂ）では、配達員の割当前と割当後とで配達先アイコン４４１３の表示色を変更するようにしたが、配達先アイコン４４１３の表示色を変更する以外の手法で、付加画像の表示形態を互いに異ならせるようにしてもよい。
【０１５９】
上記実施形態では、未完了業務画面Ｇ４５をリスト画面として構成し、マップ画面Ｇ４２上でのリスト表示ボタン４４２６または表示切替えボタン４２５３の操作によりマップ画面Ｇ４２からリスト画面Ｇ４５１に切替えるようにしたが、画面切替え指令部の構成はこれに限らない。注文情報取得部４０２は、店舗用端末４の入力部４５の操作により入力された注文情報、あるいはサーバ（注文サーバ）等の外部機器から入力された注文情報のいずれを取得してもよく、記憶部４１に保存された注文情報を取得するようにしてもよい。
【０１６０】
上記実施形態では、注文された品物を、注文主により指定された場所および時間に配達する宅配業の配達管理システムに配達管理装置を適用する例を説明したが、本発明の配達管理装置は、宅配業だけでなく他の運送業の配達管理システムに対しても同様に適用することができる。
【０１６１】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【０１６２】
１  車載ナビゲーション装置、２  携帯無線端末、３  配達管理サーバ、４  店舗用端末、６  配達管理装置、１３，２３  センサ部、４４  表示部、１００  配達管理システム、３０２  情報取得部、３０６  ルート設定部、４０２  注文情報取得部、４０３  サーバ情報取得部、４０４  移動体割当部、４０５  複数配達設定部、４０６  画像信号生成部、４４１０  マップ画像、４４１３  配達先アイコン、４４１４  吹き出し画像、４４１５  ルート画像、４２５１，４４２２  複数配達ボタン、４２５３  表示切替えボタン、４４２６  リスト表示ボタン
【図１】
2018147108.tif 000003
【図２】
2018147108.tif 000004
【図３】
2018147108.tif 000005
【図４】
2018147108.tif 000006
【図５】
2018147108.tif 000007
【図６】
2018147108.tif 000008
【図７】
2018147108.tif 000009
【図８】
2018147108.tif 000010
【図９】
2018147108.tif 000011
【図１０Ａ】
2018147108.tif 000012
【図１０Ｂ】
2018147108.tif 000013
【図１０Ｃ】
2018147108.tif 000014
【図１０Ｄ】
2018147108.tif 000015
【図１０Ｅ】
2018147108.tif 000016
【図１０Ｆ】
2018147108.tif 000017
【図１１Ａ】
2018147108.tif 000018
【図１１Ｂ】
2018147108.tif 000019
【図１２Ａ】
2018147108.tif 000020
【図１２Ｂ】
2018147108.tif 000021
【図１２Ｃ】
2018147108.tif 000022
【図１３】
2018147108.tif 000023
【図１４】
2018147108.tif 000024
【図１５Ａ】
2018147108.tif 000025
【図１５Ｂ】
2018147108.tif 000026